(57)【要約】ワイヤレス通信のためのユーザ機器無線能力シグナリングを最適化するための技法が説明される。一技法では、通信のためにアクセスするネットワークのタイプが決定される。ユーザ機器（ＵＥ）無線能力の（１つまたは複数の）セットに関連する（１つまたは複数の）能力識別子は、ネットワークのタイプに少なくとも部分的に基づいて決定される。（１つまたは複数の）能力識別子は、ネットワークに送られる。（１つまたは複数の）能力識別子のインジケーションを受信すると、（１つまたは複数の）能力識別子に関連するＵＥ無線能力の（１つまたは複数の）セットが識別され、記憶される。【選択図】  図９
2021520723.tif 000002
【特許請求の範囲】
【請求項１】
ユーザ機器（ＵＥ）によるワイヤレス通信のための方法であって、
通信のためにアクセスするネットワークのタイプを決定することと、
前記ネットワークの前記タイプに少なくとも部分的に基づいて、前記ネットワークの前記タイプのためのＵＥ無線能力の少なくとも１つのセットに関連する少なくとも１つの能力識別子を決定することと、
前記少なくとも１つの能力識別子を前記ネットワークに送ることと、
を備える方法。
【請求項２】
前記ネットワークの前記タイプを決定することは、前記ネットワークによってサポートされる１つまたは複数の能力を決定することを備える、請求項１に記載の方法。
【請求項３】
前記１つまたは複数の能力は、前記ネットワークによってサポートされる複信のタイプ、前記ネットワークによってサポートされる１つまたは複数の帯域、または前記ネットワークによってサポートされるトラフィックのタイプのうちの少なくとも１つを備える、請求項２に記載の方法。
【請求項４】
前記少なくとも１つの能力識別子は、前記ＵＥの１つまたは複数の属性にさらに基づいて決定され、
前記ＵＥの前記１つまたは複数の属性は、前記ネットワークと交換されることとなるトラフィックのタイプ、前記ＵＥに関連する地理的領域、または前記ＵＥのソフトウェアバージョンのうちの少なくとも１つを備える、
請求項１に記載の方法。
【請求項５】
複数の能力識別子を決定することをさらに備え、
各能力識別子は、ＵＥ無線能力の１つのセットに関連付けられ、
前記少なくとも１つの能力識別子は、前記複数の能力識別子から決定される、
請求項１に記載の方法。
【請求項６】
前記少なくとも１つの能力識別子は、サービング事業者ネットワークによって割り当てられる事業者固有能力識別子である、請求項１に記載の方法。
【請求項７】
前記少なくとも１つの能力識別子は、ＵＥ製造業者によって割り当てられる製造業者固有能力識別子である、請求項１に記載の方法。
【請求項８】
前記少なくとも１つの能力識別子は、前記ＵＥのソフトウェアバージョンに基づく、請求項１に記載の方法。
【請求項９】
前記少なくとも１つの能力識別子は、前記ＵＥに半静的に関連付けられる、請求項１に記載の方法。
【請求項１０】
前記少なくとも１つの能力識別子は、前記ネットワークとの登録プロシージャ中に、無線リソース制御（ＲＲＣ）メッセージまたは非アクセス層（ＮＡＳ）メッセージを介して送られる、請求項１に記載の方法。
【請求項１１】
前記ＮＡＳメッセージは、登録メッセージまたはアイデンティティ応答メッセージを備える、請求項１０に記載の方法。
【請求項１２】
前記少なくとも１つの能力識別子を送った後に、ＵＥ無線能力の前記少なくとも１つのセットについての更新された能力識別子を前記ネットワークから受信することをさらに備える、請求項１に記載の方法。
【請求項１３】
前記少なくとも１つの能力識別子を送ることの後に、少なくとも１つの別の能力識別子を決定することと、ここにおいて、前記少なくとも１つの別の能力識別子は、ＵＥ無線能力の前記少なくとも１つのセットにまたはＵＥ無線能力の異なるセットに関連付けられる、
前記少なくとも１つの別の能力識別子を前記ネットワークに送ることと、
をさらに備える、請求項１に記載の方法。
【請求項１４】
ワイヤレス通信のための装置であって、
少なくとも１つのプロセッサと、前記少なくとも1つのプロセッサは、
通信のためにアクセスするネットワークのタイプを決定することと、
前記ネットワークの前記タイプに少なくとも部分的に基づいて、前記ネットワークの前記タイプのためのユーザ機器（ＵＥ）無線能力の少なくとも１つのセットに関連する少なくとも１つの能力識別子を決定することと、
を行うように構成され、
前記少なくとも１つの能力識別子を前記ネットワークに送信するように構成された送信機と、
前記少なくとも１つのプロセッサに結合されたメモリと、
を備える装置。
【請求項１５】
前記少なくとも１つのプロセッサは、前記ネットワークによってサポートされる１つまたは複数の能力を決定することによって、前記ネットワークの前記タイプを決定するように構成される、請求項１４に記載の装置。
【請求項１６】
前記１つまたは複数の能力は、前記ネットワークによってサポートされる複信のタイプ、前記ネットワークによってサポートされる１つまたは複数の帯域、または前記ネットワークによってサポートされるトラフィックのタイプのうちの少なくとも１つを備える、請求項１５に記載の装置。
【請求項１７】
前記少なくとも１つのプロセッサは、前記装置の１つまたは複数の属性にさらに基づいて前記少なくとも１つの能力識別子を決定するように構成され、
前記ＵＥの前記１つまたは複数の属性は、前記ネットワークと交換されることとなるトラフィックのタイプ、前記ＵＥに関連する地理的領域、または前記ＵＥのソフトウェアバージョンのうちの少なくとも１つを備える、
請求項１４に記載の装置。
【請求項１８】
前記少なくとも１つのプロセッサは、複数の能力識別子を決定するようにさらに構成され、
各能力識別子は、ＵＥ無線能力の１つのセットに関連付けられ、
前記少なくとも１つの能力識別子は、前記複数の能力識別子から決定される、
請求項１４に記載の装置。
【請求項１９】
前記少なくとも１つの能力識別子は、サービング事業者ネットワークによって割り当てられる事業者固有能力識別子である、請求項１４に記載の装置。
【請求項２０】
前記少なくとも１つの能力識別子は、前記ＵＥの製造業者によって割り当てられる製造業者固有能力識別子である、請求項１４に記載の装置。
【請求項２１】
前記少なくとも１つの能力識別子は、前記ＵＥのソフトウェアバージョンに基づく、請求項１４に記載の装置。
【請求項２２】
前記少なくとも１つの能力識別子は、前記ＵＥに半静的に関連付けられる、請求項１４に記載の装置。
【請求項２３】
前記少なくとも１つの能力識別子は、前記ネットワークとの登録プロシージャ中に、無線リソース制御（ＲＲＣ）メッセージまたは非アクセス層（ＮＡＳ）メッセージを介して送信される、請求項１４に記載の装置。
【請求項２４】
前記ＮＡＳメッセージは、登録メッセージまたはアイデンティティ応答メッセージを備える、請求項２３に記載の装置。
【請求項２５】
前記少なくとも１つの能力識別子が送信された後に、ＵＥ無線能力の前記少なくとも１つのセットについての更新された能力識別子を前記ネットワークから受信するように構成された受信機をさらに備える、請求項１４に記載の装置。
【請求項２６】
前記少なくとも１つのプロセッサは、前記少なくとも１つの能力識別子が送信された後に、少なくとも１つの別の能力識別子を決定するようにさらに構成され、
前記送信機は、前記少なくとも１つの別の能力識別子を前記ネットワークに送信するようにさらに構成され、
前記少なくとも１つの別の能力識別子は、ＵＥ無線能力の前記少なくとも１つのセットにまたはＵＥ無線能力の異なるセットに関連付けられる、
請求項１４に記載の装置。
【請求項２７】
ワイヤレス通信のための装置であって、
通信のためにアクセスするネットワークのタイプを決定するための手段と、
前記ネットワークの前記タイプに少なくとも部分的に基づいて、前記ネットワークの前記タイプのためのユーザ機器（ＵＥ）無線能力の少なくとも１つのセットに関連する少なくとも１つの能力識別子を決定するための手段と、
前記少なくとも１つの能力識別子を前記ネットワークに送るための手段と、
を備える装置。
【請求項２８】
ユーザ機器（ＵＥ）によるワイヤレス通信のためのコンピュータ実行可能コードを記憶したコンピュータ読取可能な媒体であって、前記コンピュータ実行可能コードは、
通信のためにアクセスするネットワークのタイプを決定するためのコードと、
前記ネットワークの前記タイプに少なくとも部分的に基づいて、前記ネットワークの前記タイプのためのＵＥ無線能力の少なくとも１つのセットに関連する少なくとも１つの能力識別子を決定するためのコードと、
前記少なくとも１つの能力識別子を前記ネットワークに送るためのコードと、
を備える、コンピュータ読取可能な媒体。
【請求項２９】
ネットワークノードによるワイヤレス通信のための方法であって、
ユーザ機器（ＵＥ）から少なくとも１つの能力識別子のインジケーションを受信することと、前記少なくとも１つの能力識別子は、ＵＥ無線能力の少なくとも１つのセットに関連付けられ、
前記少なくとも１つの能力識別子に関連するＵＥ無線能力の前記少なくとも１つのセットを識別することと、
前記少なくとも１つの能力識別子に関連するＵＥ無線能力の前記少なくとも１つのセットを記憶することと、
を備える方法。
【請求項３０】
ＵＥ無線能力の前記少なくとも１つのセットを識別することは、
ＵＥ無線能力の前記少なくとも１つのセットがネットワークに記憶されているかどうかを決定することと、
前記決定に基づいて、前記ＵＥまたは別のネットワークノードのうちの少なくとも１つとインタラクトすることと、
を備える、請求項２９に記載の方法。
【請求項３１】
前記ＵＥまたは前記別のネットワークノードのうちの少なくとも１つとインタラクトすることは、
前記決定が、ＵＥ無線能力の前記少なくとも１つのセットが前記ネットワークに記憶されているというものである場合、ＵＥ無線能力の前記少なくとも１つのセットを取り出すことと、
ＵＥ無線能力の前記少なくとも１つのセットを備える初期コンテキストセットアップメッセージを前記別のネットワークノードに送ることと、
を備える、請求項３０に記載の方法。
【請求項３２】
前記ネットワークノードは、アクセスおよびモビリティ機能（ＡＭＦ）であり、前記別のネットワークノードは、次世代基地局（ｇＮＢ）である、または
前記ネットワークノードは、モビリティ管理エンティティ（ＭＭＥ）であり、前記別のネットワークノードは、基地局（ｅＮＢ）である、
請求項３１に記載の方法。
【請求項３３】
前記ＵＥまたは前記別のネットワークノードのうちの少なくとも１つとインタラクトすることは、
前記決定が、ＵＥ無線能力の前記少なくとも１つのセットが前記ネットワークに記憶されていないというものである場合、ＵＥ無線能力の前記少なくとも１つのセットを含まない初期コンテキストセットアップメッセージを前記別のネットワークノードに送ることと、
前記初期コンテキストセットアップメッセージを送ることの後に、ＵＥ無線能力の前記少なくとも１つのセットのインジケーションを前記別のネットワークノードから受信することと、
を備える、請求項３０に記載の方法。
【請求項３４】
前記ＵＥまたは前記別のネットワークノードのうちの少なくとも１つとインタラクトすることは、前記決定が、ＵＥ無線能力の前記少なくとも１つのセットが前記ネットワークに記憶されていないというものである場合、ＵＥ無線能力の前記少なくとも１つのセットを前記ＵＥから取り出すことを備える、請求項３０に記載の方法。
【請求項３５】
ＵＥ無線能力の前記少なくとも１つのセットを取り出すことは、
ＵＥ能力照会メッセージを前記ＵＥに送ることと、
前記ＵＥ能力照会メッセージに応答して、ＵＥ無線能力の前記少なくとも１つのセットのインジケーションを前記ＵＥから受信することと、
を備える、請求項３４に記載の方法。
【請求項３６】
ＵＥ無線能力の前記少なくとも１つのセットについての更新された能力識別子を決定することと、
前記更新された能力識別子のインジケーションを前記ＵＥに送ることと、
をさらに備える、請求項２９に記載の方法。
【請求項３７】
少なくとも１つの別の能力識別子を前記ＵＥから受信することをさらに備え、前記少なくとも１つの別の能力識別子は、ＵＥ無線能力の前記少なくとも１つのセットにまたはＵＥ無線能力の異なるセットに関連付けられる、請求項２９に記載の方法。
【請求項３８】
前記少なくとも１つの能力識別子の前記インジケーションは、前記ＵＥとの登録プロシージャ中に、無線リソース制御（ＲＲＣ）メッセージまたは非アクセス層（ＮＡＳ）メッセージを介して受信される、請求項２９に記載の方法。
【請求項３９】
前記ＮＡＳメッセージは、登録メッセージまたはアイデンティティ応答メッセージを備える、請求項３８に記載の方法。
【請求項４０】
前記少なくとも１つの能力識別子は、ＵＥ製造業者によって割り当てられる製造業者固有能力識別子である、請求項２９に記載の方法。
【請求項４１】
前記少なくとも１つの能力識別子は、サービング事業者ネットワークによって割り当てられる事業者固有能力識別子である、請求項２９に記載の方法。
【請求項４２】
前記少なくとも１つの能力識別子は、前記ＵＥのソフトウェアバージョンに基づく、請求項２９に記載の方法。
【請求項４３】
前記少なくとも１つの能力識別子は、前記ＵＥに半静的に関連付けられる、請求項２９に記載の方法。
【請求項４４】
ワイヤレス通信のための装置であって、
ユーザ機器（ＵＥ）から少なくとも１つの能力識別子のインジケーションを受信するように構成された受信機と、前記少なくとも１つの能力識別子は、ＵＥ無線能力の少なくとも１つのセットに関連付けられ、
少なくとも１つのプロセッサと、前記少なくとも１つのプロセッサは、
前記少なくとも１つの能力識別子に関連するＵＥ無線能力の前記少なくとも１つのセットを識別することと、
前記少なくとも１つの能力識別子に関連するＵＥ無線能力の前記少なくとも１つのセットを記憶することと、
を行うように構成され、
前記少なくとも１つのプロセッサに結合されたメモリと、
を備える装置。
【請求項４５】
前記少なくとも１つのプロセッサは、
ＵＥ無線能力の前記少なくとも１つのセットがネットワークに記憶されているかどうかを決定することと、
前記決定に基づいて前記ＵＥまたはネットワークノードのうちの少なくとも１つとインタラクトすることと、
によって、ＵＥ無線能力の前記少なくとも１つのセットを識別するように構成される、
請求項４４に記載の装置。
【請求項４６】
前記少なくとも１つのプロセッサは、前記決定が、ＵＥ無線能力の前記少なくとも１つのセットが前記ネットワークに記憶されているというものである場合、ＵＥ無線能力の前記少なくとも１つのセットを取り出すことによって、前記ＵＥまたは前記ネットワークノードのうちの少なくとも１つとインタラクトするように構成され、
前記装置は、ＵＥ無線能力の前記少なくとも１つのセットを備える初期コンテキストセットアップメッセージを前記ネットワークノードに送信するように構成された送信機をさらに備える、請求項４５に記載の装置。
【請求項４７】
前記装置は、アクセスおよびモビリティ機能（ＡＭＦ）であり、前記ネットワークノードは、次世代基地局（ｇＮＢ）である、または
前記装置は、モビリティ管理エンティティ（ＭＭＥ）であり、前記ネットワークノードは、基地局（ｅＮＢ）である、
請求項４６に記載の装置。
【請求項４８】
送信機をさらに備え、
前記少なくとも１つのプロセッサは、前記決定が、ＵＥ無線能力の前記少なくとも１つのセットが前記ネットワークに記憶されていないというものである場合、ＵＥ無線能力の前記少なくとも１つのセットを含まない初期コンテキストセットアップメッセージを生成することによって、前記ＵＥまたは前記ネットワークノードのうちの少なくとも１つとインタラクトするように構成され、
前記送信機は、前記初期コンテキストセットアップメッセージを前記ネットワークノードに送信するように構成され、
前記受信機は、前記初期コンテキストセットアップメッセージが送信された後に、ＵＥ無線能力の前記少なくとも１つのセットのインジケーションを受信するようにさらに構成される、
請求項４５に記載の装置。
【請求項４９】
前記少なくとも１つのプロセッサは、前記決定が、ＵＥ無線能力の前記少なくとも１つのセットが前記ネットワークに記憶されていないというものである場合、ＵＥ無線能力の前記少なくとも１つのセットを前記ＵＥから取り出すことによって、前記ＵＥまたは前記ネットワークノードのうちの少なくとも１つとインタラクトするように構成される、請求項４５に記載の装置。
【請求項５０】
前記少なくとも１つのプロセッサは、前記ＵＥとのＵＥ能力照会プロシージャに参加することによって、ＵＥ無線能力の前記少なくとも１つのセットを取り出すように構成される、請求項４９に記載の装置。
【請求項５１】
前記少なくとも１つのプロセッサは、ＵＥ無線能力の前記少なくとも１つのセットについての更新された能力識別子を決定するようにさらに構成され、
前記装置は、前記更新された能力識別子のインジケーションを前記ＵＥに送信するように構成された送信機をさらに備える、請求項４４に記載の装置。
【請求項５２】
前記受信機は、少なくとも１つの別の能力識別子を前記ＵＥから受信するようにさらに構成され、
前記少なくとも１つの別の能力識別子は、ＵＥ無線能力の前記少なくとも１つのセットにまたはＵＥ無線能力の異なるセットに関連付けられる、
請求項４４に記載の装置。
【請求項５３】
前記少なくとも１つの能力識別子の前記インジケーションは、前記ＵＥとの登録プロシージャ中に、無線リソース制御（ＲＲＣ）メッセージまたは非アクセス層（ＮＡＳ）メッセージを介して受信される、請求項４４に記載の装置。
【請求項５４】
前記ＮＡＳメッセージは、登録メッセージまたはアイデンティティ応答メッセージを備える、請求項５３に記載の装置。
【請求項５５】
前記少なくとも１つの能力識別子は、ＵＥ製造業者によって割り当てられた製造業者固有能力識別子である、請求項４４に記載の装置。
【請求項５６】
前記少なくとも１つの能力識別子は、サービング事業者ネットワークによって割り当てられた事業者固有能力識別子である、請求項４４に記載の装置。
【請求項５７】
前記少なくとも１つの能力識別子は、前記ＵＥのソフトウェアバージョンに基づく、請求項４４に記載の装置。
【請求項５８】
前記少なくとも１つの能力識別子は、前記ＵＥに半静的に関連付けられる、請求項４４に記載の装置。
【請求項５９】
ワイヤレス通信のための装置であって、
ユーザ機器（ＵＥ）から少なくとも１つの能力識別子のインジケーションを受信するための手段と、前記少なくとも１つの能力識別子は、ＵＥ無線能力の少なくとも１つのセットに関連付けられ、
前記少なくとも１つの能力識別子に関連するＵＥ無線能力の前記少なくとも１つのセットを識別するための手段と、
前記少なくとも１つの能力識別子に関連するＵＥ無線能力の前記少なくとも１つのセットを記憶するための手段と、
を備える装置。
【請求項６０】
ネットワークエンティティによるワイヤレス通信のためのコンピュータ実行可能コードを記憶したコンピュータ読取可能な媒体であって、前記コンピュータ実行可能コードは、
ユーザ機器（ＵＥ）から少なくとも１つの能力識別子のインジケーションを受信するためのコードと、前記少なくとも１つの能力識別子は、ＵＥ無線能力の少なくとも１つのセットに関連付けられ、
前記少なくとも１つの能力識別子に関連するＵＥ無線能力の前記少なくとも１つのセットを識別するためのコードと、
前記少なくとも１つの能力識別子に関連するＵＥ無線能力の前記少なくとも１つのセットを記憶するためのコードと、
を備える、コンピュータ読取可能な媒体。
【発明の詳細な説明】
【関連出願への相互参照】
【０００１】
[0001]本出願は、２０１８年４月５日に出願された米国仮特許出願第６２／６５３，３６７号の利益およびそれに対する優先権を主張する２０１９年４月２日に出願された米国出願第１６／３７３，４５１号に対する優先権を主張し、これらは両方とも、本出願の譲受人に譲渡され、参照により本明細書に明示的に組み込まれる。
【技術分野】
【０００２】
[0002]本開示は一般に、ワイヤレス通信システムに関し、より詳細には、ワイヤレス通信のためのユーザ機器（ＵＥ）無線能力シグナリングを最適化するための方法および装置に関する。
【背景技術】
【０００３】
[0003]ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソース（例えば、帯域幅、送信電力）を共有することによって複数のユーザとの通信をサポートする能力がある多元接続技術を用い得る。このような多元接続技術の例には、ロングタームエボリューション（ＬＴＥ（登録商標））システム、ＬＴＥアドバンスド（ＬＴＥ−Ａ）システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
[0004]いくつかの例では、ワイヤレス多元接続通信システムは、いくつかの基地局を含み得、それらの各々は、別名ユーザ機器（ＵＥ）として知られている複数の通信デバイスのための通信を同時にサポートする。ＬＴＥまたはＬＴＥ−Ａネットワークでは、１つまたは複数の基地局のセットが、発展型ノードＢ（ｅＮＢ）を定義し得る。他の例では（例えば、次世代または５Ｇのネットワークでは）、ワイヤレス多元接続通信システムは、いくつかの中央ユニット（ＣＵ）（例えば、中央ノード（ＣＮ）、アクセスノードコントローラ（ＡＮＣ）など）と通信状態にあるいくつかの分散ユニット（ＤＵ）（例えば、エッジユニット（ＥＵ）、エッジノード（ＥＮ）、無線ヘッド（ＲＨ）、スマート無線ヘッド（ＳＲＨ）、送受信ポイント（ＴＲＰ）など）を含み得、ここで、中央ユニットと通信状態にある１つまたは複数の分散ユニットのセットは、アクセスノード（例えば、新無線基地局（ＮＲ ＢＳ）、新無線ＢＳ（ＮＲ ＮＢ）、ネットワークノード、５Ｇ ＮＢ、ｅＮＢ、次世代ＮＢ（ｇＮＢ）など）を定義し得る。ＢＳまたはＤＵは、（例えば、ＢＳからのまたはＵＥへの送信のために）ダウンリンクチャネル上で、および（例えば、ＵＥからＢＳまたはＤＵへの送信のために）アップリンクチャネル上でＵＥのセットと通信し得る。
【０００５】
[0005]これらの多元接続技術は、異なるワイヤレスデバイスが、都市、国家、地域、さらには地球規模で通信することを可能にする共通プロトコルを提供するために、様々な電気通信規格において採用されてきた。新興の電気通信規格の例は、新無線（ＮＲ）、例えば、５Ｇ無線アクセスである。ＮＲは、第３世代パートナーシッププロジェクト（３ＧＰＰ（登録商標））によって公表されたＬＴＥモバイル規格に対する拡張のセットである。それは、ダウンリンク（ＤＬ）上およびアップリンク（ＵＬ）上でサイクリックプレフィックス（ＣＰ）を有するＯＦＤＭＡを使用して、スペクトル効率を向上させること、コストを下げること、サービスを向上させること、新たなスペクトルを利用すること、および他のオープン規格とより良好に統合することで、モバイルブロードバンドインターネットアクセスをより良好にサポートするように、ならびに、ビームフォーミング、多入力多出力（ＭＩＭＯ）アンテナ技術、およびキャリアアグリゲーションをサポートするように設計されている。
【０００６】
[0006]しかしながら、モバイルブロードバンドアクセスに対する需要は増加し続けるため、ＮＲ技術のさらなる改善の必要性が存在する。望ましくは、これらの改善は、他の多元接続技術およびこれらの技術を用いる電気通信規格に適用可能であるべきである。
【発明の概要】
【０００７】
[0007]本開示のシステム、方法、およびデバイスは、各々がいくつかの態様を有し、それらのうちのいずれも、それの望ましい属性を単独で担うものではない。以下の特許請求の範囲によって表される本開示の範囲を限定することなく、いくつかの特徴がこれより簡潔に説明されるであろう。この説明を検討した後、特に「詳細な説明」と題するセクションを読んだ後には、ワイヤレスネットワークにおけるアクセスポイントと局との間の改善された通信を含む利点を本開示の特徴がどのように提供するかが理解されるであろう。
【０００８】
[0008]特定の態様は、例えば、ＵＥによって実行され得るワイヤレス通信のためのＵＥ無線能力シグナリングを最適化するための方法を提供する。方法は一般に、通信のためにアクセスするネットワークのタイプを決定することを含む。方法はまた、ネットワークのタイプに少なくとも部分的に基づいて、ネットワークのタイプのためのＵＥ無線能力の少なくとも１つのセットに関連する少なくとも１つの能力識別子を決定することを含む。方法は、少なくとも１つの能力識別子をネットワークに送ることをさらに含む。
【０００９】
[0009]本開示の特定の態様は、ワイヤレス通信のためのＵＥ無線能力シグナリングを最適化するための、ＵＥのような装置を提供する。装置は、通信のためにアクセスするネットワークのタイプを決定するための手段を含む。装置はまた、ネットワークのタイプに少なくとも部分的に基づいて、ネットワークのタイプのためのＵＥ無線能力の少なくとも１つのセットに関連する少なくとも１つの能力識別子を決定するための手段を含む。装置は、少なくとも１つの能力識別子をネットワークに送るための手段をさらに含む。
【００１０】
[0010]本開示の特定の態様は、ワイヤレス通信のためのＵＥ無線能力シグナリングを最適化するための、ＵＥのような装置を提供する。装置は、送信機と、少なくとも１つのプロセッサと、この少なくとも１つのプロセッサに結合されたメモリとを含む。少なくとも１つのプロセッサは、通信のためにアクセスするネットワークのタイプを決定し、ネットワークのタイプに少なくとも部分的に基づいて、ネットワークのタイプのためのＵＥ無線能力の少なくとも１つのセットに関連する少なくとも１つの能力識別子を決定するように構成される。送信機は、少なくとも１つの能力識別子をネットワークに送信するように構成される。
【００１１】
[0011]本開示の特定の態様は、ワイヤレス通信のためのＵＥ無線能力シグナリングを最適化するためのコンピュータ実行可能コードを記憶したコンピュータ読取可能な媒体を提供する。コンピュータ実行可能コードは一般に、通信のためにアクセスするネットワークのタイプを決定するためのコードを含む。コンピュータ実行可能コードはまた、ネットワークのタイプに少なくとも部分的に基づいて、ネットワークのタイプのためのＵＥ無線能力の少なくとも１つのセットに関連する少なくとも１つの能力識別子を決定するためのコードを含む。コンピュータ実行可能コードは、少なくとも１つの能力識別子をネットワークに送るためのコードをさらに含む。
【００１２】
[0012]本開示の特定の態様は、例えば、ネットワークエンティティによって実行され得る、ワイヤレス通信のためのＵＥ無線能力シグナリングを最適化するための方法を提供する。方法は一般に、少なくとも１つの能力識別子のインジケーションをＵＥから受信することを含む。少なくとも１つの能力識別子は、ＵＥ無線能力の少なくとも１つのセットに関連付けられる。方法はまた、少なくとも１つの能力識別子に関連するＵＥ無線能力の少なくとも１つのセットを識別することを含む。方法は、少なくとも１つの能力識別子に関連するＵＥ無線能力の少なくとも１つのセットを記憶することをさらに含む。
【００１３】
[0013]本開示の特定の態様は、ワイヤレス通信のためのＵＥ無線能力シグナリングを最適化するための、ネットワークエンティティのような装置を提供する。装置は一般に、少なくとも１つの能力識別子のインジケーションをＵＥから受信するための手段を含む。少なくとも１つの能力識別子は、ＵＥ無線能力の少なくとも１つのセットに関連付けられる。装置はまた、少なくとも１つの能力識別子に関連するＵＥ無線能力の少なくとも１つのセットを識別するための手段を含む。装置は、少なくとも１つの能力識別子に関連するＵＥ無線能力の少なくとも１つのセットを記憶するための手段をさらに含む。
【００１４】
[0014]本開示の特定の態様は、ワイヤレス通信のためのＵＥ無線能力シグナリングを最適化するための、ネットワークエンティティのような装置を提供する。装置は一般に、受信機と、少なくとも１つのプロセッサと、この少なくとも１つのプロセッサに結合されたメモリとを含む。受信機は、少なくとも１つの能力識別子のインジケーションをＵＥから受信するように構成される。少なくとも１つの能力識別子は、ＵＥ無線能力の少なくとも１つのセットに関連付けられる。少なくとも１つのプロセッサは、少なくとも１つの能力識別子に関連するＵＥ無線能力の少なくとも１つのセットを識別し、少なくとも１つの能力識別子に関連するＵＥ無線能力の少なくとも１つのセットを記憶するように構成される。
【００１５】
[0015]本開示の特定の態様は、ワイヤレス通信のためのＵＥ無線能力シグナリングを最適化するためのコンピュータ実行可能コードを記憶したコンピュータ読取可能な媒体を提供する。コンピュータ実行可能コードは一般に、少なくとも１つの能力識別子のインジケーションをＵＥから受信するためのコードを含む。少なくとも１つの能力識別子は、ＵＥ無線能力の少なくとも１つのセットに関連付けられる。コンピュータ実行可能コードはまた、少なくとも１つの能力識別子に関連するＵＥ無線能力の少なくとも１つのセットを識別するためのコードを含む。コンピュータ実行可能コードは、少なくとも１つの能力識別子に関連するＵＥ無線能力の少なくとも１つのセットを記憶するためのコードをさらに含む。
【００１６】
[0016]前述した目的および関連する目的を達成するために、１つまたは複数の態様は、以下に十分に説明されかつ特許請求の範囲において具体的に示される特徴を備える。以下の説明および添付の図面は、１つまたは複数の態様の実例となる特定の特徴を詳細に示す。しかしながら、これらの特徴は、様々な態様の原理が用いられ得る様々な方法のうちのほんの一部を示すものであり、この説明は、すべてのこのような態様およびそれらの同等物を含むことが意図される。
【００１７】
[0017]本開示の上記特徴を詳細に理解することができるように、上で簡潔に概要を述べた内容のより詳細な説明が、態様を参照して行われ得、そのうちのいくつかは、添付の図面において例示される。しかしながら、添付の図面は、本開示の特定の典型的な態様を例示しているに過ぎず、説明が他の同等に効果的な態様を認め得るため、その範囲を限定するものとみなされるべきではないことに留意されたい。
【図面の簡単な説明】
【００１８】
【図１】[0018]図１は、本開示の特定の態様による、例となる電気通信システムを概念的に例示するブロック図である。
【図２】[0019]図２は、本開示の特定の態様による、分散型無線アクセスネットワーク（ＲＡＮ）の例となるアーキテクチャを例示するブロック図である。
【図３】[0020]図３は、本開示の特定の態様による、５Ｇシステム（５ＧＳ）と発展型ユニバーサルモバイル電気通信システムネットワーク（Ｅ−ＵＴＲＡＮ）システムとの間の相互作用のための例となるシステムアーキテクチャを例示する。
【図４】[0021]図４は、本開示の特定の態様による、ＵＥ無線能力を取り出すための例となるコールフローである。
【図５】[0022]図５は、本開示の特定の態様による、ＵＥ能力シグナリングプロシージャのための例となるコールフローを例示する。
【図６】図６は、本開示の特定の態様による、ＵＥ能力シグナリングプロシージャのための例となるコールフローを例示する。
【図７】[0023]図７は、本開示の特定の態様による、ＵＥ能力識別子を修正するための例となるコールフローを例示する。
【図８】図８は、本開示の特定の態様による、ＵＥ能力識別子を修正するための例となるコールフローを例示する。
【図９】[0024]図９は、本開示の特定の態様による、例えば、ＵＥ無線能力シグナリングを最適化するための、ワイヤレス通信のための例となる動作を例示する。
【図１０】[0025]図１０は、本開示の特定の態様による、例えば、ＵＥ無線能力シグナリングを最適化するための、ワイヤレス通信のための例となる動作を例示する。
【図１１】[0026]図１１は、本開示の態様による、本明細書で開示される技法のための動作を実行するように構成された様々なコンポーネントを含み得る通信デバイスを例示する。
【詳細な説明】
【００１９】
[0027]理解を容易にするために、可能な場合には、同一の参照番号が、複数の図に共通な同一の要素を指定するために使用されている。一態様で開示される複数の要素が、特定の記載なく他の態様に対して有益に利用され得ることは企図される。
【００２０】
[0028]本開示の態様は、例えば、ネットワークスループットを増加させること、効率を向上させることなどのために、ワイヤレス通信システム（例えば、ＬＴＥシステム、ＮＲシステムなど）内のＵＥ無線能力シグナリングを最適化するための装置、方法、処理システム、およびコンピュータ読取可能な媒体を提供する。
【００２１】
[0029]ワイヤレス通信システムは、例えば、ＵＥに通信サービスを提供するために、ネットワークにおけるＵＥ能力情報の交換をサポートし得る。ＵＥ能力情報は、ＵＥがサポートする無線アクセス技術（ＲＡＴ）を示す情報を含み得る。そのような情報は、例えば、ＵＥによってサポートされる、電力クラス、周波数帯域、キャリアアグリゲーション（ＣＡ）帯域組合せ、複信モード、（例えば、音声中心、データ中心などの）トラフィックプロファイル、無線ベアラなどを含むことができる。
【００２２】
[0030]ＬＴＥでは、ＵＥ無線能力は、ＵＥ能力照会プロシージャを使用してｅＮＢによって取り出され得る。しかしながら、このプロシージャ中に、ＵＥは、ＵＥがそのような能力を以前に送っているかどうかにかかわらず、およびＵＥが能力の同じセットをいくつかの他のＵＥと共有し得るかどうかにかかわらず、ＵＥ無線能力のすべてを送り得る。ＵＥ能力情報のサイズが増加するに伴い、ＵＥ能力情報を送るこの方法は、ネットワーク効率を著しく低下させ、ネットワーク通信に影響を及ぼし得る。ＬＴＥでは、例えば、ＵＥ能力情報のサイズは、著しく大きく（例えば、５０オクテットより大きく）なり得る。ＮＲにおけるＵＥは、（ＬＴＥと比べて）異なる（および／または追加の）能力をサポートすることが予想され得るため、ＵＥ能力情報は、（例えば、ＬＴＥと比べて）サイズが著しく増加することがさらに予想される。ゆえに、５Ｇ ＮＲシステムのようなワイヤレス通信システムにとって、ＵＥ無線能力がネットワークにおいてどのようにシグナリングされるかを最適化することが望ましいであろう。
【００２３】
[0031]本明細書で提示される態様は、ワイヤレス通信のための（例えば、ＵＥ無線能力シグナリングのサイズを低減することによって）ＵＥ無線能力シグナリングを最適化するための技法および装置を提供する。
【００２４】
[0032]いくつかの態様では、ＵＥは、通信のためにアクセスするネットワークのタイプ（例えば、無線アクセスネットワーク（ＲＡＮ）、コアネットワークなど）を決定し得る。例えば、ＵＥは、ネットワークによってサポートされるＲＡＴのタイプ、ネットワークが周波数分割複信（ＦＤＤ）をサポートするか時分割複信（ＴＤＤ）をサポートするか、ネットワークが音声中心ネットワークであるかデータ中心ネットワークであるか、ネットワークによってサポートされる周波数帯域組合せなどを決定し得る。ＵＥは、ネットワークのタイプに少なくとも部分的に基づいて、ネットワークのタイプのためのＵＥ無線能力の少なくとも１つのセットに関連する少なくとも１つの能力識別子を決定し得る。ＵＥは、ネットワークとの登録プロシージャ中に少なくとも１つの能力識別子を送り得る。
【００２５】
[0033]このようにして、本明細書で提示される技法は、ＵＥが、ＵＥ無線能力の実際のセットを送ることとは対照的に、ＵＥ無線能力の特定のセットに関連する能力識別子を送ることを可能にすることによって、ネットワークにおけるＵＥ無線能力シグナリングを最適化することができる。これにより、ネットワークにおけるＵＥ無線能力シグナリングのサイズを著しく縮小させることができる。
【００２６】
[0034]以下の説明は、例を提供するものであり、特許請求の範囲に示される範囲、適用性、または例を限定するものではない。本開示の範囲から逸脱することなく、説明される要素の配置および機能に変更がなされ得る。様々な例は、様々なプロシージャまたはコンポーネントを、適宜、省略、代用、または追加し得る。例えば、説明される方法は、説明されるものとは異なる順序で実行され得、様々なステップが、追加、省略、または組み合わせられ得る。また、いくつかの例に関して説明される特徴は、いくつかの他の例では組み合わせられ得る。例えば、本明細書で示される任意の数の態様を使用して、装置がインプリメントされ得るか、方法が実施され得る。加えて、本開示の範囲は、本明細書で示される開示の様々な態様に加えて、または、それ以外に、他の構造、機能性、または構造と機能性を使用して実施されるこのような装置または方法をカバーすることが意図されている。本明細書で開示される本開示の任意の態様が、請求項の１つまたは複数の要素によって具現化され得ることは理解されるべきである。「例示的」という用語は、「例、事例、または例示として提供される」を意味するために本明細書で使用される。「例示的」であるとして本明細書で説明される任意の態様は、必ずしも、好ましいまたは他の態様より有利であると解釈されるべきではない。
【００２７】
[0035]本明細書で説明される技法は、ＬＴＥ、ＣＤＭＡ、ＴＤＭＡ、ＦＤＭＡ、ＯＦＤＭＡ、ＳＣ−ＦＤＭＡのような様々なワイヤレス通信ネットワークおよび他のネットワークに使用され得る。「ネットワーク」および「システム」という用語は、交換して使用されることが多い。ＣＤＭＡネットワークは、ユニバーサル地上無線アクセス（ＵＴＲＡ）、ｃｄｍａ２０００などのような無線技術をインプリメントし得る。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５、およびＩＳ―８５６規格をカバーする。ＴＤＭＡネットワークは、モバイル通信のためのグローバルシステム（ＧＳＭ（登録商標））のような無線技術をインプリメントし得る。ＯＦＤＭＡネットワークは、ＮＲ（例えば、５Ｇ ＲＡ）、次世代ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭＡなどのような無線技術をインプリメントし得る。ＵＴＲＡおよびＥ−ＵＴＲＡは、ユニバーサルモバイル電気通信システム（ＵＭＴＳ）の一部である。３ＧＰＰ ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の団体からの文書に記載されている。ｃｄｍａ２０００およびＵＭＢは、「第３世代パートナーシッププロジェクト２」（３ＧＰＰ２）という名称の団体からの文書に記載されている。
【００２８】
[0036]新無線（ＮＲ）は、５Ｇ技術フォーラム（５ＧＴＦ）と併せて開発中の新興のワイヤレス通信技術である。ＮＲアクセス（例えば、５Ｇ ＮＲ）は、広帯域幅（例えば、８０ＭＨｚ以上（beyond））を対象とする拡張モバイルブロードバンド（ｅＭＢＢ）、高キャリア周波数（例えば、２５ＧＨｚ以上）を対象とするミリ波（ｍｍＷ）、後方互換性のないＭＴＣ技法を対象とするマッシブマシンタイプ通信ＭＴＣ（massive MTC）、および／または超高信頼低遅延通信（ＵＲＬＬＣ）を対象とするミッションクリティカルのような様々なワイヤレス通信サービスをサポートし得る。これらのサービスは、レイテンシおよび信頼性要件を含み得る。これらのサービスはまた、それぞれのサービス品質（ＱｏＳ）要件を満たすために、異なる送信時間インターバル（ＴＴＩ）を有し得る。加えて、これらのサービスは、同じサブフレーム内に共存し得る。
【００２９】
[0037]ＮＲは、ネットワークスライシングの概念を導入する。例えば、ネットワークは、例えば、インターネット・オブ・エブリシング（ＩｏＥ）、ＵＲＬＬＣ、ｅＭＢＢ、車車間（Ｖ２Ｖ）通信などの異なるサービスをサポートし得る複数のスライスを有し得る。スライスは、特定のネットワーク能力およびネットワーク特性を提供するために必要なネットワーク機能および対応するリソースのセットから構成される完全な論理ネットワークとして定義され得る。
【００３０】
[0038]本明細書で説明される技法は、上述されたワイヤレスネットワークおよび無線技術に加えて、他のワイヤレスネットワークおよび無線技術に使用され得る。明確さのために、態様は、３Ｇおよび／または４Ｇのワイヤレス技術に共通して関連する専門用語を使用して本明細書で説明され得るが、本開示の態様は、ＮＲ技術を含む５Ｇ以降のような他の世代ベースの通信システムで適用されることができる。
【００３１】
[0039]図１は、例えば、ＵＥ無線能力シグナリングを最適化するための、本開示の態様が実行され得る、ＮＲまたは５Ｇネットワークのような例となるワイヤレス通信ネットワーク１００を例示する。例示されるように、ＵＥ１２０ａは、ＵＥ無線能力シグナリングを最適化するための本明細書で説明される１つまたは複数の技法をインプリメントするように構成された能力構成コンポーネント１６０を含む。能力構成コンポーネント１６０を使用して、ＵＥ１２０ａは、通信のためにアクセスするネットワークのタイプを決定し、ネットワークのタイプに少なくとも部分的に基づいて、ネットワークのタイプのためのＵＥ無線能力の少なくとも１つのセットに関連する少なくとも１つの能力識別子を決定し得る。ＵＥ１２０ａは、ネットワークとの登録プロシージャ中に少なくとも１つの能力識別子を送り得る。
【００３２】
[0040]同じく例示されるように、ＢＳ１１０ａ（例えば、ネットワークノード）は、ＵＥ無線能力シグナリングを最適化するための本明細書で説明される１つまたは複数の技法をインプリメントするように構成された能力構成コンポーネント１７０を含む。能力構成コンポーネント１７０を使用して、ＢＳ１１０ａは、少なくとも１つの能力識別子をＵＥから受信し、ＢＳ１１０ａが能力識別子に関連するＵＥ無線能力の対応するセットを有するかどうかを決定し得る。ＵＥ無線能力の対応するセットが記憶されているとＢＳ１１０ａが決定した場合、ＢＳ１１０ａは、ＵＥ無線能力のセットを取り出し得る。ＵＥ無線能力の対応するセットが記憶されていないとＢＳ１１０ａが決定した場合、ＢＳ１１０ａは、ＵＥ無線能力の対応するセットを（例えば、ＵＥから）取得し、能力識別子に関連するＵＥ無線能力の対応するセットを記憶するためのプロシージャをトリガし得る。
【００３３】
[0041]図１は、本明細書で説明される１つまたは複数の技法をインプリメントするために能力構成コンポーネント１７０を使用し得るネットワークノードの参考例としてＢＳ１１０ａを使用することに留意されたい。いくつかの態様では、能力構成コンポーネント１７０は、ワイヤレス通信ネットワーク１００中の任意のネットワークノードによって使用され得る。一例では、ネットワークノードは、ｅＮＢ、ｇＮＢなどの無線アクセスネットワーク（ＲＡＮ）ノードを含むことができる。別の例では、ネットワークノードは、アクセスおよびモビリティ機能（ＡＭＦ）、モビリティ管理エンティティ（ＭＭＥ）などのコアネットワークノードを含むことができる。
【００３４】
[0042]図１に例示されているように、ワイヤレス通信ネットワーク１００は、いくつかのＢＳ１１０および他のネットワークエンティティを含み得る。ＢＳは、ＵＥと通信する局であり得る。各ＢＳ１１０は、特定の地理的エリアに通信カバレッジを提供し得る。３ＧＰＰでは、「セル」という用語は、この用語が使用されるコンテキストに応じて、ノードＢ（ＮＢ）のカバレッジエリアおよび／またはこのカバレッジエリアにサービス提供するＮＢサブシステムを指し得る。ＮＲシステムでは、「セル」およびｅＮＢ、ＮＢ、５Ｇ ＮＢ、ｇＮＢ、ｇＮｏｄｅＢ、アクセスポイント（ＡＰ）、ＢＳ、ＮＲ ＢＳ、５Ｇ ＢＳ、ＤＵ、キャリア、または送受信ポイント（ＴＲＰ）という用語は、交換して使用され得る。ＮＲシステムはまた、ＬＴＥ ＲＡＮを介して５Ｇコアネットワークへの（ＵＥのための）接続性を提供するように構成されたｅＬＴＥ ｅＮＢをサポートし得る。いくつかの例では、セルは、必ずしも静止しているわけではなく、セルの地理的エリアは、モバイルＢＳのロケーションにしたがって移動し得る。いくつかの例では、ＢＳは、任意の適切な転送ネットワークを使用して、直接的な物理接続、仮想ネットワーク、または同様のもののような様々なタイプのバックホールインターフェースを通して、互いにおよび／またはワイヤレス通信ネットワーク１００中の１つまたは複数の他のＢＳまたはネットワークノード（図示せず）に相互接続され得る。
【００３５】
[0043]一般に、任意の数のワイヤレスネットワークが、所与の地理的エリアに展開され得る。各ワイヤレスネットワークは、特定の無線アクセス技術（ＲＡＴ）をサポートし得、１つまたは複数の周波数上で動作し得る。ＲＡＴは、無線技術、エアインターフェースなどとも呼ばれ得る。周波数は、キャリア、周波数チャネル、トーン、サブバンドなどとも呼ばれ得る。各周波数は、異なるＲＡＴのワイヤレスネットワーク間の干渉を回避するために、所与の地理的エリアにおいて単一のＲＡＴをサポートし得る。いくつかのケースでは、ＮＲまたは５Ｇ ＲＡＴネットワークが展開され得る。
【００３６】
[0044]ＢＳは、マクロセル、ピコセル、フェムトセル、および／または他のタイプのセルのための通信カバレッジを提供し得る。マクロセルは、比較的広い地理的エリア（例えば、半径数キロ）をカバーし得、サービスに加入しているＵＥによる無制限のアクセスを可能にし得る。ピコセルは、比較的狭い地理的エリアをカバーし得、サービスに加入しているＵＥによる無制限のアクセスを可能にし得る。フェムトセルは、比較的狭い地理的エリア（例えば、自宅）をカバーし得、このフェムトセルと関連性のあるＵＥ（例えば、クローズド加入者グループ（ＣＳＧ）内のＵＥ、自宅の中にいるユーザのＵＥなど）による制限付きアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示される例では、ＢＳ１１０ａ、１１０ｂ、および１１０ｃはそれぞれ、マクロセル１０２ａ、１０２ｂ、および１０２ｃのためのマクロＢＳであり得る。ＢＳ１１０ｘは、ピコセル１０２ｘのためのピコＢＳであり得る。ＢＳ１１０ｙおよび１１０ｚはそれぞれ、フェムトセル１０２ｙおよび１０２ｚのためのフェムトＢＳであり得る。ＢＳは、１つまたは複数の（例えば、３つの）セルをサポートし得る。
【００３７】
[0045]ワイヤレス通信ネットワーク１００はまた、リレー局を含み得る。リレー局は、アップストリーム局（例えば、ＢＳまたはＵＥ）からデータおよび／または他の情報の送信を受信し、ダウンストリーム局（例えば、ＵＥまたはＢＳ）にデータおよび／または他の情報の送信を送る局である。リレー局はまた、他のＵＥのための送信を中継（リレー）するＵＥであり得る。図１に示される例では、リレー局１１０ｒは、ＢＳ１１０ａとＵＥ１２０ｒとの間の通信を容易にするために、ＢＳ１１０ａおよびＵＥ１２０ｒと通信し得る。リレー局は、リレーＢＳ、リレーなどとも呼ばれ得る。
【００３８】
[0046]ワイヤレス通信ネットワーク１００は、異なるタイプのＢＳ、例えば、マクロＢＳ、ピコＢＳ、フェムトＢＳ、リレーなどを含む異種ネットワークであり得る。これらの異なるタイプのＢＳは、ワイヤレス通信ネットワーク１００において、異なる伝送電力レベル、異なるカバレッジエリア、および干渉に対する異なる影響を有し得る。例えば、マクロＢＳが高い伝送電力レベル（例えば、２０ワット）を有し得るのに対して、ピコＢＳ、フェムトＢＳ、およびリレーは、より低い伝送電力レベル（例えば、１ワット）を有し得る。
【００３９】
[0047]ワイヤレス通信ネットワーク１００は、同期動作または非同期動作をサポートし得る。同期動作の場合、ＢＳは、同様のフレームタイミングを有し得、異なるＢＳからの送信は、時間的にほぼ揃えられ（aligned）得る。非同期動作の場合、ＢＳは、異なるフレームタイミングを有し得、異なるＢＳからの送信は、時間的に揃えられ得ない。本明細書で説明される技法は、同期動作と非同期動作の両方に使用され得る。
【００４０】
[0048]ネットワークコントローラ１３０は、ＢＳのセットに結合され得、これらのＢＳのための協調および制御を提供する。ネットワークコントローラ１３０は、バックホールを介してＢＳ１１０と通信し得る。ＢＳ１１０はまた、例えば、ワイヤレスまたはワイヤラインバックホールを介して間接的または直接的に互いに通信し得る。
【００４１】
[0049]ＵＥ１２０（例えば、１２０ｘ、１２０ｙなど）は、ワイヤレス通信ネットワーク１００全体にわたって分散しており、各ＵＥは、据置式または可動式であり得る。ＵＥは、モバイル局、端末、アクセス端末、加入者ユニット、局、カスタマ構内設備（ＣＰＥ）、セルラ電話、スマートフォン、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、カメラ、ゲーミングデバイス、ネットブック、スマートブック、ウルトラブック、医療デバイスもしくは医療機器、生体センサ／デバイス、スマートウォッチ、スマートクロージング、スマートグラス、スマートリストバンド、スマートジュエリー（例えば、スマートリング、スマートブレスレットなど）のようなウェアラブルデバイス、エンターテイメントデバイス（例えば、ミュージックデバイス、ビデオデバイス、衛星ラジオなど）、車両用の部品もしくはセンサ、スマートメータ／センサ、工業製造設備、全地球測位システムデバイス、またはワイヤレスもしくはワイヤード媒体を介して通信するように構成された任意の他の適切なデバイスとも呼ばれ得る。いくつかのＵＥは、発展型もしくはマシンタイプ通信（ＭＴＣ）デバイスまたは発展型ＭＴＣ（ｅＭＴＣ）デバイスとみなされ得る。ＭＴＣおよびｅＭＴＣ ＵＥは、例えば、ＢＳ、別のデバイス（例えば、リモートデバイス）、または何らかの他のエンティティと通信し得るロボット、ドローン、リモートデバイス、センサ、メータ、モニタ、ロケーションタグなどを含む。ワイヤレスノードは、例えば、ワイヤードまたはワイヤレス通信リンクを介して、ネットワーク（例えば、セルラネットワークまたはインターネットのような広域ネットワーク）のためのまたはそれへの接続性を提供し得る。いくつかのＵＥは、モノのインターネット（ＩｏＴ）または狭帯域ＩｏＴ（ＮＢ−ＩｏＴ）デバイスとみなされ得る。いくつかのＵＥはまた、ＬＴＥ ＲＡＮにおいてｅＬＴＥ ｅＮＢを介して５Ｇコアネットワークに接続することができるｅＬＴＥ ＵＥとみなされ得る。
【００４２】
[0050]特定のワイヤレスネットワーク（例えば、ＬＴＥ）は、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビン、サブバンドなどとも呼ばれる複数の（Ｋ個の）直交サブキャリアに分割する。各サブキャリアは、データで変調され得る。一般に、ＯＦＤＭでは周波数ドメインで、ＳＣ−ＦＤＭでは時間ドメインで変調シンボルが送られる。隣接したサブキャリア間の間隔は固定であり得、サブキャリアの総数（Ｋ）はシステム帯域幅に依存し得る。例えば、サブキャリアの間隔は１５ｋＨｚであり得、（リソースブロック（ＲＢ）と呼ばれる）最小リソース割振りは１２個のサブキャリア（すなわち、１８０ｋＨｚ）であり得る。結果として、公称ＦＦＴサイズは、１．２５、２．５、５、１０、または２０メガヘルツ（ＭＨｚ）のシステム帯域幅に対して、それぞれ１２８、２５６、５１２、１０２４、または２０４８に等しくなり得る。システム帯域幅はまた、サブバンドに分割され得る。例えば、サブバンドは、１．０８ＭＨｚ（すなわち、６個のＲＢ）をカバーし得、１．２５、２．５、５、１０、または２０ＭＨｚのシステム帯域幅に対して、それぞれ１つ、２つ、４つ、８つ、または１６個のサブバンドが存在し得る。ＬＴＥでは、基本送信時間インターバル（ＴＴＩ）またはパケット持続時間は、１ｍｓサブフレームである。ＮＲでは、サブフレームは依然として１ｍｓであるが、基本ＴＴＩは、スロットと呼ばれる。サブフレームは、サブキャリア間隔に応じて、可変数のスロット（例えば、１つ、２つ、４つ、８つ、１６個、・・・のスロット）を含む。ＮＲ ＲＢは、１２個の連続する周波数サブキャリアである。ＮＲは、１５ｋＨｚの基本サブキャリア間隔をサポートし得、他のサブキャリア間隔は、例えば、３０ｋＨｚ、６０ｋＨｚ、１２０ｋＨｚ、２４０ｋＨｚなど、基本サブキャリア間隔に関して定義され得る。シンボル長およびスロット長は、サブキャリア間隔に対応する（scale with）。ＣＰ長もまた、サブキャリア間隔に依存する。
【００４３】
[0051]ＮＲは、アップリンクおよびダウンリンク上でＣＰを有するＯＦＤＭを利用し、時分割複信（ＴＤＤ）を使用する半二重動作へのサポートを含み得る。ビームフォーミングがサポートされ得、ビーム方向が動的に構成され得る。プリコーディング付きのＭＩＭＯ送信もサポートされ得る。ＤＬにおけるＭＩＭＯ構成は、最大８つのストリームかつＵＥ毎に最大２つのストリームまでのマルチレイヤＤＬ送信をもつ最大８つの送信アンテナをサポートし得る。ＵＥ毎に最大２つのストリームでのマルチレイヤ送信がサポートされ得る。複数のセルのアグリゲーションが、最大８つのサービングセルでサポートされ得る。
【００４４】
[0052]いくつかの例では、エアインターフェースへのアクセスがスケジューリングされ得る。スケジューリングエンティティ（例えば、ＢＳ）は、そのサービスエリアまたはセル内のいくつかまたはすべてのデバイスおよび機器の間での通信のためのリソースを割り振る。本開示内では、さらに以下で説明されるように、スケジューリングエンティティは、１つまたは複数の下位エンティティのためにリソースをスケジューリングすること、割り当てること、再構成すること、および解放することを担い得る。すなわち、スケジューリングされた通信のために、下位エンティティは、スケジューリングエンティティによって割り振られたリソースを利用する。ＢＳは、スケジューリングエンティティとして機能し得る唯一のエンティティではない。すなわち、いくつかの例では、あるＵＥが、１つまたは複数の下位エンティティ（例えば、１つまたは複数の他のＵＥ）のためにリソースをスケジューリングするスケジューリングエンティティとして機能し得る。この例では、そのＵＥがスケジューリングエンティティとして機能しており、他のＵＥは、このＵＥによってスケジューリングされたリソースをワイヤレス通信に利用する。ＵＥは、ピア・ツー・ピア（Ｐ２Ｐ）ネットワークにおいておよび／またはメッシュネットワークにおいてスケジューリングエンティティとして機能し得る。メッシュネットワークの例では、ＵＥは、オプションで、スケジューリングエンティティと通信することに加えて、互いに直接通信し得る。
【００４５】
[0053]いくつかの例では、２つ以上の下位エンティティ（例えば、ＵＥ）は、サイドリンク信号を使用して互いに通信し得る。そのようなサイドリンク通信の実世界の適用例には、公共の安全、プロキシミティサービス、ＵＥからネットワークへの中継（リレー）、車車間（Ｖ２Ｖ）通信、インターネット・オブ・エブリシング（ＩｏＥ）通信、ＩｏＴ通信、ミッションクリティカルメッシュ、および／または様々な他の適切な適用例が含まれ得る。一般に、サイドリンク信号は、スケジューリングエンティティ（例えば、ＵＥまたはＢＳ）がスケジューリングおよび／または制御目的に利用され得るとしても、そのスケジューリングエンティティを通して通信を中継することなく、ある下位エンティティ（例えば、ＵＥ１）から別の下位エンティティ（例えば、ＵＥ２）に通信される信号を指し得る。いくつかの例では、サイドリンク信号は、（アンライセンススペクトルを使用し得るワイヤレスローカルエリアネットワークとは異なり）ライセンススペクトルを使用して通信され得る。
【００４６】
[0054]図１では、両矢印付きの実線は、ＵＥと、ダウンリンクおよび／またはアップリンク上でＵＥにサービス提供するように指定されたＢＳであるサービングＢＳとの間の所望の送信を示す。両矢印付きの細破線は、ＵＥとＢＳとの間の干渉する送信を示す。
【００４７】
[0055]図２は、本開示の態様をインプリメントするために使用され得る、（例えば、図１のワイヤレス通信ネットワーク１００中の）ＢＳ１１０およびＵＥ１２０の例となるコンポーネントを例示する。例えば、ＵＥ１２０のアンテナ２５２、プロセッサ２６６、２５８、２６４、および／もしくはコントローラ／プロセッサ２８０、ならびに／または、ＢＳ１１０のアンテナ２３４、プロセッサ２２０、２３０、２３８、および／もしくはコントローラ／プロセッサ２４０が、本明細書で説明される様々な技法および方法を実行するために使用され得る。図２に示されるように、ＢＳ１１０のコントローラ／プロセッサ２４０は、本明細書で説明される態様による、ワイヤレス通信のためのＵＥ無線能力シグナリングを最適化するために構成され得る能力構成コンポーネント１７０を有する。同様に、図２に示されるように、ＵＥ１２０のコントローラ／プロセッサ２８０は、本明細書で説明される態様による、ワイヤレス通信のためのＵＥ無線能力シグナリングを最適化するために構成され得る能力構成コンポーネント１６０を有する。
【００４８】
[0056]ＢＳ１１０において、送信プロセッサ２２０は、データソース２１２からデータを受け取り、コントローラ／プロセッサ２４０から制御情報を受け取り得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）、グループ共通ＰＤＣＣＨ（ＧＣ ＰＤＣＣＨ）などのためのものであり得る。データは、物理ダウンリンク共有チャネル（ＰＤＳＣＨ）などのためのものであり得る。プロセッサ２２０は、このデータおよび制御情報を処理（例えば、符号化およびシンボルマッピング）して、それぞれデータシンボルおよび制御シンボルを取得し得る。送信プロセッサ２２０はまた、例えば、プライマリ同期信号（ＰＳＳ）、セカンダリ同期信号（ＳＳＳ）、およびセル固有基準信号（ＣＲＳ）のための基準シンボルを生成し得る。送信（ＴＸ）多入力多出力（ＭＩＭＯ）プロセッサ２３０は、適用可能であれば、これらデータシンボル、制御シンボル、および／または基準シンボルに対して空間処理（例えば、プリコーディング）を実行し得、変調器（ＭＯＤ）２３２ａ〜２３２ｔに出力シンボルストリームを提供し得る。各変調器２３２は、それぞれの出力シンボルストリーム（例えば、ＯＦＤＭなどのための）を処理して、出力サンプルストリームを取得し得る。各変調器は、この出力サンプルストリームをさらに処理（例えば、アナログ変換、増幅、フィルタリング、およびアップコンバート）して、ダウンリンク信号を取得し得る。変調器２３２ａ〜２３２ｔからのダウンリンク信号は、それぞれアンテナ２３４ａ〜２３４ｔを介して送信され得る。
【００４９】
[0057]ＵＥ１２０において、アンテナ２５２ａ〜２５２ｒは、ＢＳ１１０からダウンリンク信号を受信し得、この受信信号をトランシーバ２５４ａ〜２５４ｒ内の復調器（ＤＥＭＯＤ）に、それぞれ提供し得る。各復調器２５４は、それぞれの受信信号を調整（例えば、フィルタリング、増幅、ダウンコンバート、およびデジタル化）して、入力サンプルを取得し得る。各復調器は、これら入力サンプル（例えば、ＯＦＤＭなどのための）をさらに処理して、受信シンボルを取得し得る。ＭＩＭＯ検出器２５６は、トランシーバ２５４ａ〜２５４ｒ内のすべての復調器から受信シンボルを取得し、適用可能であれば、これら受信シンボルに対してＭＩＭＯ検出を実行し、検出されたシンボルを提供し得る。受信プロセッサ２５８は、検出されたシンボルを処理（例えば、復調、デインタリーブ、および復号）し、ＵＥ１２０のための復号済みデータをデータシンク２６０に提供し、復号済み制御情報をコントローラ／プロセッサ２８０に提供し得る。
【００５０】
[0058]アップリンク上では、ＵＥ１２０において、送信プロセッサ２６４は、データソース２６２から（例えば、物理アップリンク共有チャネル（ＰＵＳＣＨ）のための）データを、そしてコントローラ／プロセッサ２８０から（例えば、物理アップリンク制御チャネル（ＰＵＣＣＨ）のための）制御情報を受け取り、処理し得る。送信プロセッサ２６４はまた、基準信号のための（例えば、サウンディング基準信号（ＳＲＳ）のための）基準シンボルを生成し得る。送信プロセッサ２６４からのシンボルは、適用可能であれば、ＴＸ ＭＩＭＯプロセッサ２６６によってプリコーディングされ、トランシーバ２５４ａ〜２５４ｒ内の復調器によってさらに処理され（例えば、ＳＣ−ＦＤＭなどのために）、基地局１１０に送信され得る。ＢＳ１１０において、ＵＥ１２０からのアップリンク信号は、アンテナ２３４によって受信され、変調器２３２によって処理され、適用可能であれば、ＭＩＭＯ検出器２３６によって検出され、受信プロセッサ２３８によってさらに処理されて、ＵＥ１２０によって送られた復号済みデータおよび制御情報が取得され得る。受信プロセッサ２３８は、復号済みデータをデータシンク２３９に提供し、復号済み制御情報をコントローラ／プロセッサ２４０に提供し得る。
【００５１】
[0059]コントローラ／プロセッサ２４０および２８０は、それぞれＢＳ１１０およびＵＥ１２０での動作を指揮し得る。ＢＳ１１０におけるコントローラ／プロセッサ２４０ならびに／または他のプロセッサおよびモジュールは、図１０に例示される機能ブロック、ワイヤレス通信のためのＵＥ無線能力シグナリングを最適化するための図５〜８において説明されるｇＮＢ（および／またはＡＭＦ）の動作、および／または本明細書で説明される技法のための様々なプロセスを実行するか、またはその実行を指揮し得る。ＵＥ１２０におけるコントローラ／プロセッサ２８０ならびに／または他のプロセッサおよびモジュールは、図９に例示される機能ブロック、ワイヤレス通信のためのＵＥ無線能力シグナリングを最適化するための図５〜８において説明されるＵＥの動作、および／または本明細書で説明される技法のための様々なプロセスを実行するか、またはその実行を指揮し得る。メモリ２４２および２８２は、それぞれＢＳ１１０およびＵＥ１２０のためのデータおよびプログラムコードを記憶し得る。スケジューラ２４４は、ダウンリンクおよび／またはアップリンク上でのデータ送信のためにＵＥをスケジューリングし得る。
【００５２】
[0060]図３は、本開示の特定の態様による、５Ｇシステム（５ＧＳ）とＥ−ＵＴＲＡＮ−ＥＰＣとの間の相互作用のための例となるシステムアーキテクチャ３００を例示する。図３に示されるように、ＵＥ１２０は、別個のコアネットワーク（ＣＮ）３０６Ａ（例えば、ＥＰＣ）および３０６Ｂ（例えば、５ＧＣ）によって制御される別個のＲＡＮ３０４Ａ（例えば、Ｅ−ＵＴＲＡＮ）および３０４Ｂ（例えば、ＮＲ ＲＡＮ）によってサービス提供され得、ここで、ＲＡＮ３０４Ａは、Ｅ−ＵＴＲＡサービスを提供し、ＲＡＮ３０４Ｂは、５Ｇ ＮＲサービスを提供する。ＵＥ１２０は、同時に両方のＲＡＮ／ＣＮの下でまたは１つだけのＲＡＮ／ＣＮの下で動作し得る。
【００５３】
[0061]システムアーキテクチャ３００内のＲＡＮ／ＣＮは、ＵＥ無線能力シグナリングを最適化するための本明細書で説明される技法をインプリメントするように構成された１つまたは複数のネットワークノードを含み得る。例えば、ＲＡＮ／ＣＮは、能力構成コンポーネント１７０で構成されたネットワークノードを含み得る。ＲＡＮ３０４Ａでは、例えば、（１つまたは複数の）ネットワークノードは、（１つまたは複数の）ｅＮＢを含み得る。ＲＡＮ３０４Ｂでは、例えば、（１つまたは複数の）ネットワークノードは、（１つまたは複数の）ｇＮＢを含み得る。ＣＮ３０６Ａでは、例えば、（１つまたは複数の）ネットワークノードは、（１つまたは複数の）ＭＭＥを含み得る。例えば、ＣＮ３０６Ｂでは、（１つまたは複数の）ネットワークノードは、（１つまたは複数の）ＡＭＦを含み得る。
【００５４】
[0062]いくつかの態様では、ＵＥ無線能力のセットは、ＵＥ１２０が動作している（１つまたは複数の）ＲＡＮ／ＣＮに部分的に依存し得る。例えば、電力クラス、周波数帯域、帯域組合せ、トラフィックプロファイルなどのうちの少なくとも１つは、ＲＡＮ３０４Ａ／ＣＮ３０６ＡとＲＡＮ３０４Ｂ／ＣＮ３０６Ｂとの間で異なり得る。いくつかの態様では、能力構成コンポーネント１６０および／または能力構成コンポーネント１７０は、どの（１つまたは複数の）ＲＡＮ／ＣＮの下でＵＥ１２０が動作しているかに少なくとも部分的に基づいて、ＵＥ無線能力のセットをシグナリングするために使用すべき能力識別子を決定するように構成され得る。
【００５５】
[0063]一般に、ＵＥ１２０は、コアネットワーク（例えば、ＣＮ３０６Ａ、ＣＮ３０６Ｂなど）にアクセスし、そこからサービスを受信するために、登録プロシージャ（ネットワークアタッチメントとも呼ばれる）を実行し得る。ＵＥ１２０は、例えば、非アクセス層（ＮＡＳ）メッセージを介して、登録要求／アタッチ要求をコアネットワークに送ることによって、登録プロシージャを開始し得る。登録要求／アタッチ要求は、登録タイプ、ＵＥアイデンティティ（例えば、５Ｇ−ＧＵＴＩ（5G globally unique temporary identity））、ＴＡＩ（tracking area identity）、要求されたネットワークスライス（例えば、要求されたＮＳＳＡＩ（network slice selection assistance information））、ＵＥ能力などの１つまたは複数のパラメータを含み得る。いくつかのケースでは、ＵＥは、例えば、ＵＥアイデンティティおよび他の要求された情報をコアネットワークに通知するために、コアネットワークとのＮＡＳアイデンティティ要求／応答メッセージの交換に参加し得る。
【００５６】
[0064]登録プロシージャの一部として、ＵＥ１２０は、コアネットワークと、ＮＡＳレベル認証の実行およびＮＡＳメッセージの暗号化の開始を行い、ＲＡＮとアクセス層（ＡＳ）セキュリティプロシージャを完了し、ＲＡＮから無線リソース制御（ＲＲＣ）再構成を受信し得る。例えば、ＵＥは、登録プロシージャのステータス、プロトコルデータユニット（ＰＤＵ）セッションステータスなどを示すＲＲＣ再構成メッセージを受信し得る。ＲＲＣ再構成メッセージはまた、ＵＥのための無線ベアラをセットアップすること、ＵＥのためのセカンダリセルをセットアップすること、ＵＥ測定を開始することなどを行い得る。ＵＥは、ＲＲＣ再構成完了メッセージを送ることによってＲＲＣ接続再構成の完了の成功を確認し、例えば、ＮＡＳメッセージを介して、登録完了メッセージをコアネットワークに送ることによって登録プロシージャの完了をシグナリングし得る。
【００５７】
ＵＥ無線能力シグナリングの最適化の例
[0065]前述のとおり、ＵＥ無線能力情報は、ＵＥによってサポートされるＲＡＴに関する情報を含み得る。そのような情報は、ＵＥによってサポートされる電力クラス、周波数帯域、複信モード、（例えば、音声中心、データ中心などの）トラフィックプロファイル、無線ベアラなどを含むことができるがそれらに限定されない。一般に、ＵＥは、ネットワークによって要求されたとき、（静的であり得る）そのＵＥ無線アクセス能力を報告し得る。図４に示されるように、例えば、ＢＳ１１０は、ＵＥ能力照会メッセージをＵＥ１２０に送り得（４０２）、それに応答して、ＵＥ１２０は、ＵＥ能力情報メッセージをＢＳ１１０に送り得る（４０４）。いくつかのケースでは、ＢＳ１１０は、（例えば、ＬＴＥにおける帯域および帯域組合せ要求と同様に）どの能力をＵＥが報告すべきかを要求することができる。図４に例示されるプロシージャ４００では、ＵＥ能力情報メッセージのサイズは、いくつかの通信ネットワーク（例えば、ＬＴＥ、ＮＲ）の場合、著しく大きい（例えば、５０オクテットより大きい）可能性がある。そのような大きいサイズのＵＥ能力情報を送ることは、ネットワークスループットおよびネットワーク通信の効率を低減し得る。
【００５８】
[0066]加えて、ＵＥがそのＵＥ無線能力をネットワークに通知するために複数のプロシージャ４００に参加する状況がいくつか存在し得る。例えば、いくつかのケースでは、ＵＥは、そのＵＥ無線能力のうちのいくつかを変更し得る。ＵＥ無線能力の変更は、例えば、ハードウェア共有、干渉、または過熱に起因して、いくつかの能力の利用可能性を（例えば、ネットワーク制御下で）一時的に制限するものであり得る。一時的能力制約は、コアネットワーク（例えば、ＮｅｘｔＧｅｎ（５Ｇ）コア）に対して透過的であり得る。すなわち、コアネットワークは、ＵＥの静的能力だけを記憶し得る。ＵＥは、一時的能力制約要求をＢＳにシグナリングし得る。ＵＥは、そのＵＥ無線能力を変更すると、ネットワークに通知するために追加のプロシージャ４００に参加し得る。これにより、ＵＥ能力情報メッセージのシグナリングが繰り返されることになり得、これは、ネットワークスループットを低減し得る。
【００５９】
[0067]ＬＴＥと比較して、５Ｇ ＮＲシステムにおけるＵＥは、異なるおよび／または追加の能力をサポートし得る。結果として、（例えば、プロシージャ４００における）ＵＥ能力情報メッセージのサイズは、（例えば、ＬＴＥと比べて）サイズが著しく増加することがさらに予想される。ゆえに、ＵＥ無線能力情報のかなりのサイズに部分的に起因する、ＵＥ能力シグナリングのサイズを低減することが望ましいであろう。
【００６０】
[0068]しかしながら、ＵＥ能力シグナリングを低減するための特定の技法には欠点があり得る。例えば、いくつかの技法は、ＵＥ無線能力のセットにわたってハッシュ関数を計算する（使用する）ことによって、（ＵＥ無線能力のセットに関連する）識別子を定義し得る。しかしながら、能力識別子を決定するためにハッシュ関数を使用することは、衝突のケースで導入される余分の（extra）複雑さに起因して、５Ｇネットワークでは実行可能でない可能性がある。参考例として、ハッシュ関数は、２つの異なるＵＥ能力セットに対して同じ識別子を作り出す可能性があり得る。そのような状況では、ＵＥおよび／またはネットワークは、衝突を解決するために追加のシグナリングを送らなければならないであろう。
【００６１】
[0069]追加的に、いくつかの特定の技法は、国際移動体装置識別番号（ＩＭＥＩ：international mobile equipment identity）のような永久（permanent）デバイスＩＤに基づいて、（ＵＥ無線能力のセットに関連する）識別子を定義し得る。参考例として、識別子は、タイプ割振りコード（ＴＡＣ）およびソフトウェアバージョン番号（ＳＶＮ）を含むＩＭＥＩソフトウェアバージョン（ＩＭＥＩ−ＳＶ）に基づき得る。しかしながら、異なるＴＡＣ＋ＳＶＮ識別子が同じＵＥ無線能力を示す状況が存在し得る。ゆえに、永久デバイスＩＤに基づいて識別子を使用することは、ＵＥ無線能力の異なるセットと関連付けるために識別子を使用することの利得を低減し得る。さらに、永久デバイスＩＤに基づく識別子を使用することは、例えば、ネットワークおよび／またはデバイスが所与のデバイスに関連する識別子を変更する能力を減少させる（または妨げる）ことによって、ネットワークにおけるＵＥ能力シグナリングの柔軟性を低減し得る。したがって、ネットワークにおいてＵＥ無線能力シグナリングを最適化するための改善された技法を提供することが望ましい。
【００６２】
[0070]本明細書で提示される態様は、ネットワークが能力とともに記憶することができるＵＥ無線能力を識別するために、（例えば、ハッシュ関数に基づかず、永久デバイスＩＤに結び付けられてもいない）（新しい）能力識別子を使用するための技法を提供する。実際のＵＥ無線能力とは対照的に、ＵＥが（例えば、登録プロシージャ中に）能力識別子を報告することを可能にすることによって、本明細書で提示される技法は、ネットワークにおけるＵＥ能力シグナリングのサイズを著しく縮小させることができる。
【００６３】
[0071]いくつかの態様では、能力識別子は、規格の管理団体、モバイルネットワーク事業者のグループのための管理団体などによって割り当てられた標準化された能力識別子であり得る。例えば、ＯＥＭ（original equipment manufacturers）は、それらのデバイスの能力をＧＳＭＡ（Global System for Mobile Communications Association）のような管理団体に登録し得る。管理団体は、能力の対応する（同じ）セットを有するデバイスの各グループについての能力識別子をＯＥＭに割り当て得る。次いで、ＯＥＭは、関連する能力識別子を用いてデバイスの能力を指定し得、それは、モバイルネットワーク事業者が、帯域外で（out of band）それらのローカルな運用・管理・保守（ＯＡＭ：operations, administration and maintenance）に取り出す（retrieve）ことができる。標準化された能力識別子は、ＰＬＭＮ（public land mobility network）ごとに一意ではないが、グローバルに一意であり得る。
【００６４】
[0072]標準化された能力識別子を管理するために、事業者がそれらのデバイス（ＵＥ）無線能力を指定し、関連する能力識別子を受信することができる「デバイス設定データベース」が存在し得る。ＯＥＭが、関連する能力識別子で能力を指定し、事業者が、帯域外で自分のローカルＯＡＭに能力識別子を取り出すことができる同様のデータベースが使用され得る。
【００６５】
[0073]いくつかの態様では、能力識別子は、モバイルネットワーク事業者に固有の能力識別子であり得る。例えば、能力識別子は、デバイス証明の一部として事業者によって事前構成されるか、または任意のＵＥがネットワーク上で能力を初めて報告するときに事業者（例えば、サービング事業者ネットワーク）によって割り当てられ得る。非標準化（例えば、事業者固有）能力識別子は、ＰＬＭＮごとに一意であり得る。
【００６６】
[0074]いくつかの態様では、能力識別子は、ＵＥ製造業者に固有の能力識別子であり得る。例えば、能力識別子は、所与のタイプのＵＥに、そのＵＥの製造業者によって割り当てられ得る。
【００６７】
[0075]いくつかの態様では、ネットワーク（例えば、５Ｇネットワーク）は、異なるタイプの能力識別子、例えば、標準化された能力識別子、製造業者固有能力識別子、および／または事業者固有能力識別子をサポートし得る。例えば、いくつかのケースでは、能力識別子のタイプのうちの第１の１つまたは複数は、必須とみなされ得、能力識別子の第２の１つまたは複数の他のタイプは、オプションとみなされ得る。一般に、標準化された能力識別子、製造業者固有能力識別子、または事業者固有能力識別子のうちの少なくとも１つは、オプションまたは必須とみなされ得る。
【００６８】
[0076]いくつかの態様では、（例えば、標準化された、製造業者固有、および／または事業者固有）能力識別子は、ＵＥに半静的に関連付けられ得る。ＵＥは、（例えば、新しいソフトウェア（ＳＷ）リリースに起因して）アップグレードされた特定の特徴を有し得るため、能力識別子が半静的に定義される（そして、ＩＭＥＩなどの永久デバイスＩＤに関連付けられない）ことを可能にすることは、ネットワークにおいてＵＥ無線能力をシグナリングするためのより柔軟なアプローチを提供し得る。いくつかの態様では、ネットワークはまた、例えば、ＯＡＭプロシージャの一部として、あるタイプの能力識別子（例えば、標準化された能力識別子）を別のタイプ（例えば、事業者固有能力識別子、製造業者固有能力識別子）に再マッピングすることを選択し得る。
【００６９】
[0077]しかしながら、一般に、ネットワークおよび／またはＵＥは、ＵＥ無線能力のセットに関連する能力識別子を変更し得る。例えば、ＵＥは、ＳＷアップグレードによりデバイス側で新しい能力が可能になることに起因して能力識別子を変更するように構成され得る。同様に、ネットワークは、ネットワーク側での（ＵＥ無線能力の）再マッピングまたはＯＡＭプロシージャに起因して能力識別子を変更するように構成され得る。
【００７０】
[0078]いくつかの態様では、ＵＥは、ＵＥによって要求されるネットワーク能力に基づいて、（ＵＥ無線能力のセットに関連する）特定の能力識別子を決定および／または報告し得る。例えば、ＵＥは、各々がＵＥ無線能力の（異なる）セットに関連する複数の能力識別子で構成され得る。ＵＥは、ＵＥが使用しようと試みているネットワークのタイプに基づいて、ＵＥ無線能力の特定のセットを明らかにすることを選び得る。例えば、ＵＥがデータ中心ネットワークに接続しようと試みている場合、ＵＥは、データ中心ネットワークに関係のあるＵＥ無線能力に関連する能力識別子を報告し得る。いくつかのケースでは、能力識別子の選択は、ＵＥによって要求される特定の５Ｇネットワークスライスの能力に基づき得る。
【００７１】
[0079]いくつかのケースでは、第１の能力識別子に関連するＵＥ無線能力の第１のセットは、第２の能力識別子に関連するＵＥ無線能力の第２のセットとは完全に異なり得ることに留意されたい。いくつかのケースでは、第１の能力識別子に関連するＵＥ無線能力の第１のセットは、第２の能力識別子に関連するＵＥ無線能力の第２のセット中のいくつかのＵＥ無線能力と重複するいくつかのＵＥ無線能力を含み得る。
【００７２】
[0080]ＬＴＥでは、ＭＭＥは、Ｓ１−ＡＰ：ＵＥ ＣＡＰＡＢＩＬＩＴＹ ＩＮＦＯ ＩＮＤＩＣＡＴＩＯＮメッセージ中でｅＮＢによって転送されるＵＥ無線能力を記憶し得る。ＵＥが接続を確立するとき、ＭＭＥは、最後に受信されたＵＥ無線能力を、ｅＮＢに送られるＳ１−ＡＰ：ＩＮＩＴＩＡＬ ＣＯＮＴＥＸＴ ＳＥＴＵＰ ＲＥＱＵＥＳＴメッセージの一部として含め得る。追加的に、ハンドオーバ準備中に、ソースＲＡＮノードは、中断を最小限に抑えるために、ＵＥソースＲＡＴ能力およびターゲットＲＡＴ能力の両方をターゲットＲＡＮノードに転送し得る。ＵＥ無線能力は、インターＭＭＥアイドルモードモビリティおよび／またはＧＰＲＳへの／からのモビリティ中、転送されないであろう。
【００７３】
[0081]ＵＥが発展型パケットコア（ＥＰＣ）（または４Ｇコアネットワーク）、ＬＴＥ ＲＡＮノードなどを介して５Ｇコアネットワークに到着する状況はいくつか存在し得る。ゆえに、いくつかの態様では、ＥＰＣとの互換性（および、インターＲＡＴモビリティ）を可能にするために、ＮＲにおけるＵＥ能力取出しのためのプロシージャは、ＬＴＥにおけるＵＥ能力照会プロシージャと共存するように設計され得る。いくつかの態様では、ＬＴＥ／ＥＰＳ（および、ローミングのケースでは潜在的にＮＲ Ｒｅｌ−１５）に対する後方互換性を維持するために、ＵＥ無線能力および能力識別子は、ＡＭＦに記憶され、ＵＥがＵＥコンテキストの一部として接続モードに移動するときにＲＡＮに提供され得る。いくつかの態様では、能力がＲＡＮに記憶される場合、ＵＥ能力シグナリングにおけるさらなる最適化が達成され得る。例えば、コアネットワークノードは、Ｓ１シグナリングを低減するために、（実際のＵＥ無線能力とは対照的に）能力識別子だけをＩＮＴＩＡＬ ＣＯＮＴＥＸＴ ＳＥＴＵＰ ＲＥＱＵＥＳＴの一部としてＲＡＮに提供し得る。
【００７４】
[0082]図５〜６は、本開示の様々な態様による、本明細書で説明される能力識別子に基づくＵＥ能力シグナリングプロシージャのための例となるそれぞれのコールフロー５００、６００を例示する。図５〜６は、５ＧシステムのためのＵＥ能力シグナリングプロシージャを例示するが、本明細書で説明される技法は、ＥＰＳ（例えば、ＬＴＥ／ＥＰＣ）にも適用され得ることに留意されたい。例えば、図５〜６のｇＮＢおよびＡＭＦエンティティ（５Ｇシステムの場合）は、ｅＮＢおよびＭＭＥ（ＥＰＳの場合）とそれぞれ交換可能であり得る。
【００７５】
[0083]図５は、具体的には、本開示の特定の態様による、ネットワークが（例えば、データベースに記憶された）対応するＵＥ無線能力を有するケースで、登録プロシージャの一部としてＵＥが能力識別子を提供するコールフロー５００を示す。登録プロシージャ中、ＵＥは、ＮＡＳメッセージを介して（ＵＥ無線能力の特定のセットに関連する）能力識別子をＡＭＦに送り得る。ＮＡＳメッセージは、登録メッセージ（オプションＡ）またはアイデンティティ応答メッセージ（オプションＢ）を含み得る。
【００７６】
[0084]オプションＡでは、ＵＥは（５０２において）、例えば、ＲＲＣ接続確立の一部として、能力識別子を含む登録メッセージを送り得る。ｇＮＢは、登録メッセージをコンテナ（例えば、初期ＵＥメッセージ）にカプセル化し（しかし、ＮＡＳ−登録メッセージはパースしない）、初期ＵＥメッセージをＡＭＦに送り得る。オプションＢでは、ＡＭＦは（５０４において）、アイデンティティ要求メッセージを介して、能力識別子を要求し得、ＵＥは（５０６において）、アイデンティティ応答メッセージ中で能力識別子を返し得る。
【００７７】
[0085]能力識別子が受信されると、ＡＭＦは（５０８において）、能力識別子に関連するＵＥ無線能力がコアネットワークに記憶されているかどうかを決定し得る。ＵＥ無線能力は、ＡＭＦ、またはコアネットワーク内の他の場所（例えば、データベース）に記憶され得ることに留意されたい。ＵＥ無線能力が記憶されているかどうかを決定するとき、ＡＭＦは、データベースに記憶されている（異なる能力識別子に関連する）ＵＥ無線能力の異なるセットに対してハッシュ関数を実行し、結果として生じるハッシュがデータベース内の分散ハッシュテーブル内に存在するかどうかを決定し得る。結果として生じるハッシュが存在する場合、ＡＭＦは、能力識別子に関連するＵＥ無線能力が記憶されていると決定し得る。そうでない場合、ＡＭＦは、対応するＵＥ無線能力が記憶されていないと決定し得る。
【００７８】
[0086]図５の参考例に示されるように、ＡＭＦは、能力識別子のための対応するＵＥ無線能力が記憶されていると（５０８において）決定し、対応するＵＥ無線能力を取り出す（retrieves）。次いで、ＡＭＦは、対応するＵＥ無線能力をＲＡＮにプッシュする。例えば、ＡＭＦは（５１０において）、ＵＥ無線能力とともにIＮＩＴＩＡＬ ＣＯＮＴＥＸＴ ＳＥＴＵＰ ＲＥＱＵＥＳＴをｇＮＢに送る。次いで、ｇＮＢは（５１２において）、ＵＥ無線能力を記憶する。示されていないが、いくつかの態様では、ＡＭＦは、ＵＥ無線能力もＲＡＮに（例えば、ｇＮＢにおいて、データベースなどに）記憶されていると想定して、（例えば、実際のＵＥ無線能力の代わりに）能力識別子とともにＩＮＩＴＩＡＬ ＣＯＮＴＥＸＴ ＳＥＴＵＰ ＲＥＱＵＥＳＴを送ることによって、対応するＵＥ無線能力をＲＡＮにプッシュし得る。
【００７９】
[0087]図６は、本開示の特定の態様による、（１）ＵＥが登録プロシージャの一部として能力識別子を提供しないか、または（２）ネットワークが（例えば、データベースに記憶された）対応するＵＥ無線能力を有さないコールフロー６００を示す。
【００８０】
[0088]示されるように、６０２において、ＡＭＦは、登録プロシージャを試みているデバイス（ＵＥ）に関連するＵＥ無線能力を有していないと決定する。前述のとおり、これは、（１）ＵＥが、オプションＡ（５０２）またはオプションＢ（５０４および５０６）においてＡＭＦに能力識別子を提供しないこと、または（２）オプションＡ（５０２）またはオプションＢ（５０４および５０６）において受信された能力識別子のための対応するＵＥ無線能力が記憶されていないと決定することのいずれかに起因し得る。
【００８１】
[0089]対応するＵＥ無線能力が利用可能でないとＡＭＦが決定すると、ＡＭＦは、対応するＵＥ無線能力を取り出すためにｇＮＢおよび／またはＵＥとインタラクトし得る（may interact with、相互に作用する、情報を伝え合う）。一態様では、ＡＭＦは、対応するＵＥ無線能力をＵＥから取り出すためのプロシージャをトリガする。示すように、ＡＭＦは（６０４において）、ＩＮＩＴＩＡＬ ＣＯＮＴＥＸＴ ＳＥＴＵＰ ＲＥＱＵＥＳＴを（能力識別子なしおよびＵＥ無線能力なしで）ｇＮＢに送る。このメッセージの受信は、ｇＮＢがＵＥとのＵＥ能力照会プロシージャを実行することをトリガする。ＵＥ能力照会プロシージャは、図４に示されるプロシージャ４００に類似し得る。このプロシージャでは、ｇＮＢは（６０６において）、ＵＥからのＵＥ無線能力を要求するＵＥ能力照会メッセージを送り、ＵＥは（６０８において）、要求されたＵＥ無線能力をＵＥ能力情報メッセージ中で返す。次いで、ｇＮＢは（６１０において）、受信されたＵＥ能力情報をＡＭＦに送る。
【００８２】
[0090]６１２において、ＡＭＦは、受信されたＵＥ無線能力に能力識別子を割り当て、割り当てられた能力識別子のインジケーションとともに対応するＵＥ無線能力を記憶することができる。いくつかのケースでは、ＡＭＦが、能力識別子を受信したが、対応するＵＥ無線能力を位置特定することができなかった場合、ＡＭＦは、受信された能力識別子を、ｇＮＢから受信されたＵＥ無線能力に割り当てることができる。このようにして、ＡＭＦが、（同じまたは異なるＵＥとの）後続の登録プロシージャにおいて同じ能力識別子を受信する場合、ＡＭＦは、例えば、図５において説明されたのと同様のプロシージャを使用して、対応するＵＥ無線能力を位置特定し、それらをｇＮＢに提供することができる。
【００８３】
[0091]上述のとおり、本明細書で提示される態様は、ＵＥおよび／またはネットワークノードが、ＵＥ無線能力の所与のセットについての能力識別子を変更／更新することを可能にする。
【００８４】
[0092]例えば、ＵＥ能力報告は、最初に、初期登録プロシージャの一部として、可能な事前構成された能力識別子を含み得る。ＵＥが能力識別子で構成されていない場合、ＵＥは、初期登録時に（１つまたは複数の）能力識別子を報告することなく、ＵＥ無線能力が成功裏に取り出されたときにＡＭＦによって割り振られるべき１つ（の能力識別子）を待ち得る。
【００８５】
[0093]いくつかの態様では、ＵＥは、複数の能力識別子を同時にサポートするように構成され得る。しかしながら、ＵＥは、一度に単一の能力識別子を使用するように構成され得る。すなわち、ＵＥは、複数の能力識別子をサポートし（ここで、各能力識別子は、ＵＥ無線能力の１つのセットに関連付けられ）、各接続確立で特定の能力識別子を選択するように構成され得る。例えば、選択された能力識別子は、音声中心またはデータ中心プロファイル、ＯＴＡ ＳＷアップグレード後のＵＥ無線能力の変更、ＵＥが頻繁に訪問する特定の地理的領域またはエリアなどのような１つまたは複数のＵＥ属性に関連付けられ得る（例えば、ＵＥは、２つの異なる領域に対して最適化された２つの能力プロファイルの間で切り替わり得る）。いくつかのケースでは、能力識別子は、いくつかのＵＥにわたって共通であり得、ゆえに、そのような能力プロファイルがネットワークにすでに保存されているとき、ネットワークにおけるメモリ／リソース使用量の増加はないであろう。
【００８６】
[0094]いくつかの態様では、ＵＥ無線能力が変化するとき、ＵＥは、これらの能力をＡＭＦに再登録することができ、これは、無線能力が変化したことをＡＭＦに示す。このプロセスは、以前に記憶された能力を削除するようにＡＭＦをトリガし得る。いくつかのケースでは、ＵＥが、デタッチプロシージャおよび更新された能力識別子を用いた再アタッチプロシージャを実行することによって、（無線能力に関連する）能力識別子を更新し得ることに留意されたい。いくつかのケースでは、ＵＥは、デタッチおよび再アタッチプロシージャを実行することなく能力識別子を更新し得る。更新プロシージャが再アタッチプロシージャを伴わないケースでは、本明細書で提示される技法は、ネットワークに通信されているものをＵＥが簡略化することを可能にする。すなわち、ＵＥは、その頻繁に使用されるプロファイルがネットワークに保存されていることを知っているため、ＵＥは、（実際の更新された能力の代わりに）新しい能力識別子だけを通信し得る。追加的に、いくつかのケースでは、ＵＥは、複数の能力識別子を報告するように構成されることができ、ネットワークは、ＵＥサブスクリプションおよびアクティブなサービスに基づいて、どちらが使用するのに好ましいプロファイルであるかを選択し得る。
【００８７】
[0095]図７〜８は、本開示の様々な態様による、ＵＥ能力識別子を修正するための例となるそれぞれのコールフロー７００、８００を例示する。図７〜８は、５ＧシステムのためのＵＥ能力識別子を修正するための技法を例示するが、本明細書で説明される技法は、ＥＰＳ（例えば、ＬＴＥ／ＥＰＣ）にも適用され得ることに留意されたい。例えば、図７〜８のｇＮＢおよびＡＭＦエンティティ（５Ｇシステムの場合）は、それぞれ、ｅＮＢおよびＭＭＥ（ＥＰＳの場合）と交換可能であり得る。
【００８８】
[0096]図７は、具体的には、本開示の特定の態様による、ネットワークがＵＥ無線能力の所与のセットについての能力識別子を修正するコールフロー７００を示す。上述のとおり、ＡＭＦは、（例えば、再マッピング、ＯＡＭプロシージャ、標準化された識別子から標準化されていない識別子への切替えなどに起因して、）ＵＥ無線能力の既存のセットに関連する能力識別子を修正（更新）し得る。
【００８９】
[0097]示されるように、ＡＭＦが新しい能力識別子を（７０２において）決定すると、ＡＭＦは、古い能力識別子と新しい能力識別子とを含むＵＥ構成更新メッセージを（７０４において）送る。ＵＥは、（例えば、ＵＥ構成更新メッセージの受信の成功を示す）ＵＥ構成更新確認応答を（７０５において）送る。次いで、ＵＥは、後続の登録プロシージャにおいて新しい能力識別子を使用し得る。示されていないが、いくつかの態様では、ＵＥは、ＵＥ構成更新メッセージが受信されなかったことを示すメッセージ（例えば、否定確認応答（ＮＡＣＫ））をＡＭＦに送り得る。ＮＡＣＫメッセージは、別のＵＥ構成更新メッセージを送るようにＡＭＦをトリガし得る。
【００９０】
[0098]図８は、本開示の特定の態様による、ＵＥがＵＥ無線能力のセットおよび対応する能力識別子を修正するコールフロー８００を示す。ただし、この参考例は、デタッチ／再アタッチは使用されないことを想定し得る。しかしながら、いくつかの態様では、ＵＥは、ＵＥ無線能力のセットおよび対応する能力識別子を修正するために、デタッチ／再アタッチを実行し得る。
【００９１】
[0099]上述のとおり、ＵＥは、（能力識別子を有さない可能性のある）ＳＷアップグレードにおいて能力の新しい（または異なる）セットを受信した後、能力識別子を更新することを決定し得る。ＵＥは、登録プロシージャの一部として、ＮＡＳメッセージを介して能力識別子を修正／更新し得る。例えば、示されるように、ＵＥは、更新された能力識別子をもつ登録要求メッセージを（８０２において）送り得る。８０４において、ＡＭＦは、能力識別子についての対応するＵＥ無線能力がネットワークに記憶されているかどうかを決定し、この決定に基づいて、図５または図６のプロシージャに従い得る。
【００９２】
[0100]図５〜８は、ＡＭＦの観点から様々なネットワーク動作を説明するが、ｇＮＢが、ＡＭＦと同じまたは同様の動作を実行するように構成され得ることに留意されたい。例えば、ＵＥは、（例えば、ＮＡＳメッセージとは対照的に）ＲＲＣメッセージを介して能力識別子をｇＮＢに送るように構成され得る。ｇＮＢは、能力識別子についての対応するＵＥ無線能力が記憶されているかどうかを決定するためにＡＭＦと同様のプロシージャを実行し、対応するＵＥ無線能力が記憶されていないと決定された場合、ＵＥ無線能力を取得するために（例えば、能力照会プロシージャにおいて）ＵＥとインタラクト（interact）し得る。一方、ＵＥ無線能力が記憶されている場合、ｇＮＢは、ＵＥ無線能力を取り出し（retrieve）、ＵＥ無線能力のインジケーション（例えば、実際のＵＥ無線能力および／またはＵＥ能力識別子）をＡＭＦに送ることができる。
【００９３】
[0101]図９は、本開示の態様による、ワイヤレス通信のための例となる動作９００を例示する。動作９００は、例えば、図１に示されるＵＥ１２０のようなＵＥによって実行され得る。動作９００は、１つまたは複数のプロセッサ（例えば、図２のプロセッサ２８０）上で実行および稼働されるソフトウェアコンポーネント（例えば、能力構成コンポーネント１６０）としてインプリメントされ得る。さらに、動作９００におけるＵＥによる通信（例えば、信号の送信および／または受信）は、例えば、１つまたは複数のアンテナ（例えば、図２のアンテナ２５２）によって可能にされ得る。特定の態様では、ＵＥによる通信（例えば、信号の送信および／または受信）は、信号を取得および／または出力する１つまたは複数のプロセッサ（例えば、プロセッサ２８０）のバスインターフェースを介してインプリメントされ得る。
【００９４】
[0102]動作９００は、ＵＥが、通信のためにアクセスするネットワークのタイプ（例えば、ＲＡＮ、コアネットワークなど）を決定する９０２から開始する。例えば、ＵＥは、ＲＡＮ３０４Ａ／ＣＮ３０６Ａおよび／またはＲＡＮ３０４Ｂ／ＣＮ３０６Ｂにアクセスすると決定し得る。ＵＥは、ネットワークから受信されたシグナリング、あらかじめ定義されている（または、前の）構成、ＵＥがキャンプオンしているセル／ネットワークなどに基づいて、ネットワークのタイプを決定し得る。いくつかの態様では、ネットワークのタイプを決定することは、ネットワークによってサポートされる１つまたは複数の能力を決定することを含み得る。例えば、ネットワーク能力は、ネットワークによってサポートされる複信のタイプ（例えば、ＦＤＤ、ＴＤＤなど）、ネットワークによってサポートされる（１つまたは複数の）周波数帯域／帯域組合せ、ネットワークによってサポートされるトラフィックのタイプ（例えば、音声中心、データ中心など）、ネットワークによってサポートされる無線ベアラなどのうちの少なくとも１つを含み得る。
【００９５】
[0103]９０４において、ＵＥは、ネットワークのタイプに少なくとも部分的に基づいて、ネットワークのタイプのためのＵＥ無線能力の少なくとも１つのセットに関連する少なくとも１つの能力識別子を決定する。前述のとおり、ＵＥは、異なるタイプの能力識別子を決定し得る。一態様では、例えば、少なくとも１つの能力識別子は、サービング事業者ネットワークによって割り当てられた事業者固有能力識別子である。一態様では、少なくとも１つの能力識別子は、規格の管理団体によって割り当てられた標準化された能力識別子である。一態様では、少なくとも１つの能力識別子は、ＵＥ製造業者（例えば、ＵＥの製造業者）によって割り当てられた製造業者固有能力識別子である。いくつかの態様では、所与のタイプの能力識別子（例えば、標準化された、製造業者固有の、事業者固有の、など）について、少なくとも１つの能力識別子は、ＵＥのソフトウェアバージョンに基づき得、および／または、ＵＥに半静的に関連付けられ得る。
【００９６】
[0104]いくつかの態様では、ＵＥは（９０４において）、複数の能力識別子を決定し得る。各能力識別子は、ＵＥ無線能力の１つのセットに関連付けられ得る。一態様では、ＵＥ無線能力のセット内のＵＥ無線能力のうちの少なくとも１つは、ＵＥ無線能力の別のセット内のＵＥ無線能力とは異なり得る。ＵＥは（９０４において）、複数の能力識別子から少なくとも１つの能力識別子を決定し得る。
【００９７】
[0105]いくつかの態様では、ＵＥは（９０４において）、１つまたは複数のＵＥ属性にさらに基づいて、少なくとも１つの能力識別子を決定し得る。例えば、前述のとおり、ＵＥは、複数の能力識別子をサポートし得る。各能力識別子は、例えば、音声中心またはデータ中心プロファイル、特定の地理的領域、ＳＷバージョンなどを含む、１つまたは複数のＵＥ属性に関連付けられ得る。ＵＥは（９０４において）、（１つまたは複数の）ＵＥ属性に基づいて、少なくとも１つの能力識別子を決定し得る。
【００９８】
[0106]９０６において、ＵＥは、少なくとも１つの能力識別子をネットワークに送る。一態様では、ＵＥは、ネットワークとの登録プロシージャ中に少なくとも１つの能力識別子を送り得る。一例では、ＵＥは、ＲＲＣメッセージを介して少なくとも１つの能力識別子を送り得る。別の例では、ＵＥは、ＮＡＳメッセージ（例えば、図５の５０２、図５の５０６）を介して少なくとも１つの能力識別子を送り得る。ＮＡＳメッセージは、登録メッセージ（例えば、図５の５０２）またはアイデンティティ応答メッセージ（例えば、図５の５０６）を含み得る。
【００９９】
[0107]いくつかの態様では、９０６において少なくとも１つの能力識別子を送った後、ＵＥは（動作９００の一部として）、更新された能力識別子をネットワークから受信し得（例えば、図７の７０４）、ここで、更新された能力識別子は、ＵＥ無線能力の少なくとも１つのセットに関連付けられる。
【０１００】
[0108]いくつかの態様では、９０６において少なくとも１つの能力識別子を送った後、ＵＥは（動作９００の一部として）、少なくとも１つの別の能力識別子を決定し得る（例えば、図８の８０２）。（１つまたは複数の）別の能力識別子は、ＵＥ無線能力の少なくとも１つのセットにまたはＵＥ無線能力の異なるセットに関連付けられ得る。ＵＥは、（１つまたは複数の）別の能力識別子をネットワークに送り得る（例えば、図８の８０２、図５の５０２、図５の５０６）。ＵＥは、ネットワークとの別の登録プロシージャの一部として、またはネットワークとの別の登録プロシージャを実行することなく（例えば、ネットワークデタッチ／再アタッチを実行することなく）、（１つまたは複数の）別の能力識別子を送り得る。
【０１０１】
[0109]図１０は、本開示の態様による、ワイヤレス通信のための例となる動作１０００を例示する。動作１０００は、ｇＮＢ／ｅＮＢ（例えば、図１に示されるＢＳ１１０）、ＡＭＦ、ＭＭＥなどのようなネットワークノード／エンティティによって実行され得る。動作１０００は、１つまたは複数のプロセッサ（例えば、図２のプロセッサ２４０）上で実行および稼働されるソフトウェアコンポーネント（例えば、能力構成コンポーネント１７０）としてインプリメントされ得る。さらに、動作１０００におけるネットワークノードによる通信（例えば、信号の送信および／または受信）は、例えば、１つまたは複数のアンテナ（例えば、図２のアンテナ２３４）によって可能にされ得る。特定の態様では、ネットワークノードによる通信（例えば、信号の送信および／または受信）は、信号を取得および／または出力する１つまたは複数のプロセッサ（例えば、プロセッサ２４０）のバスインターフェースを介してインプリメントされ得る。動作１０００のうちのいくつかは、例えば、ＵＥ無線能力シグナリングを最適化するために、ＵＥによって実行される動作９００と相補的であり得る。
【０１０２】
[0110]動作１０００は、ネットワークノードが、少なくとも１つの能力識別子のインジケーションをＵＥから受信する（例えば、図５の５０２、図５の５０６）１００２から開始する。一態様では、少なくとも１つの能力識別子は、ＵＥとの登録プロシージャ中に受信され得る。少なくとも１つの能力識別子は、ＵＥ無線能力の少なくとも１つのセットに関連付けられる。少なくとも１つの能力識別子のインジケーションは、ＲＲＣメッセージまたはＮＡＳメッセージ（例えば、図５の５０２、図５の５０６）を介して受信され得る。ＮＡＳメッセージは、登録メッセージまたはアイデンティティ応答メッセージを含み得る。
【０１０３】
[0111]１００４において、ネットワークノードは、少なくとも１つの能力識別子に関連するＵＥ無線能力の少なくとも１つのセットを識別する。一態様では、ＵＥは（１００４において）、ＵＥ無線能力の少なくとも１つのセットがネットワークに記憶されているかどうかを決定し、決定に基づいて、ＵＥまたは別のネットワークノードのうちの少なくとも１つとインタラクトすること（例えば、図５の５０８、図６の６０２）によって、ＵＥ無線能力の少なくとも１つのセットを識別し得る。１００６において、ネットワークノードは、少なくとも１つの能力識別子に関連するＵＥ無線能力の少なくとも１つのセットを記憶する（例えば、図５の５１２、図６の６１２）。
【０１０４】
[0112]いくつかの態様では、ネットワークノードは（１００４において）、決定が、ＵＥ無線能力の少なくとも１つのセットがネットワークに記憶されていないというものである場合に、ＵＥ無線能力の少なくとも１つのセットをＵＥから取り出すことによって、ＵＥまたは別のネットワークノードのうちの少なくとも１つとインタラクトし得る。例えば、ネットワークノードは、ＵＥ能力照会メッセージをＵＥに送り（例えば、図６の６０６）、このＵＥ能力照会メッセージに応答して、ＵＥ無線能力の少なくとも１つのセットのインジケーションをＵＥから受信し得る（例えば、図６の６０８）。これらの態様では、ネットワークノードは、ｇＮＢまたはｅＮＢであり得る。
【０１０５】
[0113]いくつかの態様では、ネットワークノードは（１００４において）、ＵＥ無線能力の少なくとも１つのセットがネットワークに記憶されているとネットワークノードが決定した場合（例えば、図５の５０８）に、ＵＥ無線能力の少なくとも１つのセットを取り出すことと、ＵＥ無線能力の少なくとも１つのセットを含むメッセージ（例えば、初期コンテキストセットアップメッセージ）を別のネットワークノードに送ること（例えば、図５の５１０）とによって、ＵＥまたは別のネットワークノードのうちの少なくとも１つとインタラクトし得る。これらの態様では、ネットワークノードは、ＡＭＦ／ＭＭＥであり得、別のネットワークノードは、ｇＮＢ／ｅＮＢであり得る。
【０１０６】
[0114]いくつかの態様では、ネットワークノードは（１００４において）、ＵＥ無線能力の少なくとも１つのセットがネットワークに記憶されているとネットワークノードが決定した場合に、ＵＥ無線能力の少なくとも１つのセットを取り出すことと、ＵＥ無線能力の少なくとも１つのセットを含むメッセージを別のネットワークノードに送ることとによって、ＵＥまたは別のネットワークノードのうちの少なくとも１つとインタラクトし得る。これらの態様では、ネットワークノードは、ｇＮＢ／ｅＮＢであり得、別のネットワークノードは、ＡＭＦ／ＭＭＥであり得る。
【０１０７】
[0115]いくつかの態様では、ネットワークノードは（１００４において）、決定が、ＵＥ無線能力の少なくとも１つのセットがネットワークに記憶されていないというものである場合に、ＵＥ無線能力の少なくとも１つのセットを含まないメッセージ（例えば、初期コンテキストセットアップメッセージ）を別のネットワークノードに送ること（例えば、図６の６０２および６０４）によって、ＵＥまたは別のネットワークノードのうちの少なくとも１つとインタラクトし得る。メッセージを送った後、ネットワークノードは、ＵＥ無線能力の少なくとも１つのセットのインジケーションを別のネットワークノードから受信し得る（例えば、図６の６１０）。これらの態様では、ネットワークノードは、ＡＭＦ／ＭＭＥであり得、別のネットワークノードは、ｇＮＢ／ｅＮＢであり得る。
【０１０８】
[0116]いくつかの態様では、ネットワークノードは（１００４において）、決定が、ＵＥ無線能力の少なくとも１つのセットがネットワークに記憶されていないというものである場合に、ＵＥ無線能力を要求するメッセージを（例えば、ＵＥに）送ること（例えば、図６の６０６）によって、ＵＥまたは別のネットワークノードのうちの少なくとも１つとインタラクトし得る。メッセージを送った後、ネットワークノードは、ＵＥ無線能力の少なくとも１つのセットのインジケーションをＵＥから受信し（例えば、図６の６０８）、ＵＥ無線能力の少なくとも１つのセットのインジケーションを別のネットワークノードに送り得る（例えば、図６の６１０）。これらの態様では、ネットワークノードは、ｇＮＢ／ｅＮＢであり得、別のネットワークノードは、ＡＭＦ／ＭＭＥであり得る。
【０１０９】
[0117]いくつかの態様では、ネットワークノードは（動作１０００の一部として）、ＵＥ無線能力の少なくとも１つのセットについての更新された能力識別子を決定し（例えば、図７の７０２）、更新された能力識別子のインジケーションをＵＥに送り得る（例えば、図７の７０４）。追加的または代替的に、いくつかの態様では、ネットワークノードは（動作１０００の一部として）、少なくとも別の能力識別子をＵＥから受信し得る（例えば、図８の８０２）。別の能力識別子は、ＵＥ無線能力の少なくとも１つのセットに関連付けられ得るか、またはＵＥ無線能力の異なるセットに関連付けられ得る。
【０１１０】
[0118]図１１は、図５〜１０に例示された動作のような、本明細書で開示された技法のための動作を実行するように構成された（例えば、ミーンズプラスファンクションコンポーネントに対応する）様々なコンポーネントを含み得る通信デバイス１１００を例示する。通信デバイス１１００は、トランシーバ１１１２に結合された処理システム１１１４を含む。トランシーバ１１１２は、アンテナ１１２０を介して、本明細書で説明される様々な信号のような通信デバイス１１００のための信号を送信および受信するように構成される。処理システム１１１４は、通信デバイス１１００によって受信されるおよび／または送信されることとなる信号を処理することを含む、通信デバイス１１００のための処理機能を実行するように構成され得る。
【０１１１】
[0119]処理システム１１１４は、バス１１２４を介してコンピュータ読取可能な媒体／メモリ１１１０に結合されたプロセッサ１１０８を含む。特定の態様では、コンピュータ読取可能な媒体／メモリ１１１０は、プロセッサ１１０８によって実行されたとき、プロセッサ１１０８に、図５〜１０に例示された動作および／または本明細書で説明される様々な技法を実行するための他の動作を実行させる命令を記憶するように構成される。
【０１１２】
[0120]特定の態様では、処理システム１１１４は、図９の９０６に例示された動作、図１０の１００２に例示された動作、および／または図５〜図８に示された動作を実行するための通信コンポーネント１１０２をさらに含む。追加的に、処理システム１１１４は、図９の９０２および９０４に例示された動作および／または図５〜８に示された動作を実行するための能力構成コンポーネント１６０を含む。処理システム１１１４は、図１０の１００４および１００６に例示された動作および／または図５〜８に示された動作を実行するための能力構成コンポーネント１７０をさらに含む。通信コンポーネント１１０２および能力構成コンポーネント１６０、１７０は、バス１１２４を介してプロセッサ１１０８に結合され得る。特定の態様では、通信コンポーネント１１０２および能力構成コンポーネント１６０、１７０は、ハードウェア回路であり得る。特定の態様では、通信コンポーネント１１０２および能力構成コンポーネント１６０、１７０は、プロセッサ１１０８上で実行および稼働するソフトウェアコンポーネントであり得る。
【０１１３】
[0121]本明細書で開示された方法は、説明された方法を達成するための１つまたは複数のステップまたはアクションを備える。方法のステップおよび／またはアクションは、特許請求の範囲から逸脱することなく互いと置き換えられ得る。換言すると、ステップまたはアクションの特定の順序が明記されていない限り、特定のステップおよび／またはアクションの順序および／または使用は、特許請求の範囲から逸脱することなく修正され得る。
【０１１４】
[0122]本明細書で使用される場合、項目のリスト「のうちの少なくとも１つ」を参照する表現は、単一のメンバを含む、それらの項目の任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに同一の要素を複数有する任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃまたはａ、ｂ、およびｃの任意の他の順序）をカバーすることが意図される。
【０１１５】
[0123]本明細書で使用される場合、「決定すること」という用語は、幅広いアクションを包含する。例えば、「決定すること」は、算出すること、計算すること、処理すること、導出すること、調査すること、ルックアップすること（例えば、テーブル、データベース、または別のデータ構造をルックアップすること）、確定すること、および同様のものを含み得る。また、「決定すること」は、受信すること（例えば、情報を受信すること）、アクセスすること（例えば、メモリ内のデータにアクセスすること）、および同様のものを含み得る。また、「決定すること」は、解決すること、選択すること、選ぶこと、確立すること、および同様のものを含み得る。
【０１１６】
[0124]先の説明は、当業者が本明細書で説明された様々な態様を実施することを可能にするために提供される。これらの態様に対する様々な修正は、当業者には容易に明らかとなり、本明細書で定義された包括的な原理は、他の態様に適用され得る。ゆえに、特許請求の範囲は、本明細書に示された態様に限定されることが意図されたものではなく、特許請求の範囲における文言と一致する全範囲が付与されるべきものであり、ここにおいて、単数形の要素への参照は、特に明記されていない限り、「１つおよび１つのみ」を意味することを意図するものではなく、むしろ「１つまたは複数」を意味する。別途明記されていない限り、「何らかの／いくつかの」という用語は、１つまたは複数を指す。当業者に知られているかまたは後に知られることとなる、本開示全体にわたって説明された様々な態様の要素と構造的および機能的に同等なものはすべて、参照によって本明細書に明確に組み込まれ、特許請求の範囲によって包含されることが意図されている。さらに、本明細書におけるどの開示も、そのような開示が特許請求の範囲に明示的に記載されているかどうかに関わらず、公衆に献呈されることを意図するものではない。請求項のいずれの要素も、その要素が「〜のための手段（means for）」という表現を使用して明確に記載されていない限り、または、方法の請求項のケースでは、その要素が「〜のためのステップ（step for）」という表現を使用して記載されていない限り、米国特許法第１１２条第６項の規定のもとで解釈されるべきではない。
【０１１７】
[0125]上で説明された方法の様々な動作は、対応する機能を実行する能力がある任意の適切な手段によって実行され得る。これら手段は、回路、特定用途向け集積回路（ＡＳＩＣ）、またはプロセッサを含むがそれらに限定されるわけではない、様々な（１つまたは複数の）ハードウェアおよび／またはソフトウェアコンポーネントおよび／または（１つまたは複数の）モジュールを含み得る。一般に、動作が図において例示されている場合、これらの動作は、同様の番号付けを有する、対応する対をなすミーンズプラスファンクションコンポーネントを有し得る。
【０１１８】
[0126]本開示に関連して説明された実例となる様々な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、ディスクリートゲートもしくはトランジスタロジック、ディスクリートハードウェアコンポーネント、または本明細書で説明された機能を実行するよう設計されたそれらの任意の組合せでインプリメントまたは実行され得る。汎用プロセッサは、マイクロプロセッサであり得るが、代替的に、プロセッサは、任意の市販のプロセッサ、コントローラ、マイクロコントローラ、またはステートマシンであり得る。プロセッサはまた、コンピューティングデバイスの組合せ、例えば、ＤＳＰと、１つのマイクロプロセッサ、複数のマイクロプロセッサ、ＤＳＰコアに連結した１つまたは複数のマイクロプロセッサ、または任意の他のそのような構成との組合せとしてインプリメントされ得る。
【０１１９】
[0127]ハードウェアでインプリメントされる場合、例となるハードウェア構成は、ワイヤレスノードにおける処理システムを備え得る。処理システムは、バスアーキテクチャを用いてインプリメントされ得る。バスは、処理システムの特定の用途と設計制約全体に応じて、任意の数の相互接続バスおよびブリッジを含み得る。バスは、プロセッサ、機械読取可能な媒体、およびバスインターフェースを含む様々な回路を互いにンクさせ得る。バスインターフェースは、とりわけ、バスを通じて処理システムにネットワークアダプタを接続するために使用され得る。ネットワークアダプタは、ＰＨＹレイヤの信号処理機能をインプリメントするために使用され得る。ＵＥ１２０（図１参照）のケースでは、ユーザインターフェース（例えば、キーパッド、ディスプレイ、マウス、ジョイスティックなど）もまた、バスに接続され得る。バスはまた、タイミングソース、周辺機器、電圧レギュレータ、電力管理回路、および同様のもののような様々な他の回路をリンクさせ得、これらは、当技術分野では周知であるため、これ以上は説明されないであろう。プロセッサは、１つまたは複数の汎用および／または専用プロセッサを用いてインプリメントされ得る。例には、マイクロプロセッサ、マイクロコントローラ、ＤＳＰプロセッサ、およびソフトウェアを実行することができる他の回路が含まれる。当業者は、特定の用途とシステム全体に課された設計制約全体とに応じて、処理システムに関する説明された機能性をどのようにインプリメントすることが最善であるかを認識するであろう。
【０１２０】
[0128]ソフトウェアでインプリメントされる場合、これら機能は、コンピュータ読取可能な媒体上の１つまたは複数の命令またはコードとして、記憶または送信され得る。ソフトウェアは、ソフトウェア、ファームウェア、ミドルウェア、マイクロコード、ハードウェア記述言語と呼ばれる場合も、その他の名称で呼ばれる場合も、命令、データ、またはそれらの任意の組合せを意味するものと広く解釈されるものとする。コンピュータ読取可能な媒体は、ある箇所から別の箇所へのコンピュータプログラムの移送を容易にする任意の媒体を含む通信媒体およびコンピュータ記憶媒体の両方を含む。プロセッサは、バスの管理と、機械読取可能な記憶媒体に記憶されているソフトウェアモジュールの実行を含む汎用処理とを担い得る。コンピュータ読取可能な記憶媒体は、プロセッサが記憶媒体から情報を読み取り、記憶媒体に情報を書き込むことができるように、プロセッサに結合され得る。代替的に、記憶媒体は、プロセッサに不可欠であり得る。例として、機械読取可能な媒体は、伝送回線、データによって変調されるキャリア波、および／またはワイヤレスノードとは別個の、命令が記憶されているコンピュータ読取可能な記憶媒体を含み得、それらすべては、バスインターフェースを通してプロセッサによってアクセスされ得る。代替的にまたは加えて、機械読取可能な媒体、またはその任意の部分は、キャッシュおよび／または汎用レジスタファイルを伴うような場合、プロセッサに一体化され得る。機械読取可能な記憶媒体の例には、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（登録商標）（電気的に消去可能なプログラマブル読取専用メモリ）、レジスタ、磁気ディスク、光ディスク、ハードドライブ、または任意の他の適切な記憶媒体、またはこれらの任意の組合せが含まれ得る。機械読取可能な媒体は、コンピュータプログラム製品で具現化され得る。
【０１２１】
[0129]ソフトウェアモジュールは、単一の命令または多数の命令を備え得、数個の異なるコードセグメントにわたって、異なるプログラム間で、および複数の記憶媒体にわたって分散され得る。コンピュータ読取可能な媒体は、いくつかのソフトウェアモジュールを備え得る。ソフトウェアモジュールは、プロセッサのような装置によって実行されると、様々な機能を実行することを処理システムに行わせる命令を含む。これらのソフトウェアモジュールは、送信モジュールおよび受信モジュールを含み得る。各ソフトウェアモジュールは、単一の記憶デバイスに存在し得るか、または複数の記憶デバイスにわたって分散され得る。例として、ソフトウェアモジュールは、トリガイベントが発生すると、ハードドライブからＲＡＭにロードされ得る。ソフトウェアモジュール実行中、プロセッサは、命令のうちのいくつかをキャッシュへとロードして、アクセススピードを上げ得る。次いで、１つまたは複数のキャッシュラインが、プロセッサによる実行のために、汎用レジスタファイルにロードされ得る。以下においてソフトウェアモジュールの機能性を参照する場合、そのソフトウェアモジュールからの命令を実行するときにそのような機能性がプロセッサによってインプリメントされることは理解されるであろう。
【０１２２】
[0130]また、いずれの接続も、厳密には、コンピュータ読取可能な媒体と称される。例えば、ソフトウェアが、ウェブサイト、サーバ、または他のリモートソースから、同軸ケーブル、光ファイバーケーブル、ツイストペア、デジタル加入者回線（ＤＳＬ）、または赤外線（ＩＲ）、電波、およびマイクロ波のようなワイヤレス技術を使用して送信される場合、同軸ケーブル、光ファイバーケーブル、ツイストペア、ＤＳＬ、または赤外線、電波、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここで、ディスク（disk）は、通常磁気的にデータを再生し、ディスク（disc）は、レーザーを用いて光学的にデータを再生する。ゆえに、いくつかの態様では、コンピュータ読取可能な媒体は、非一時的なコンピュータ読取可能な媒体（例えば、有形媒体）を備え得る。加えて、他の態様では、コンピュータ読取可能な媒体は、一時的なコンピュータ読取可能な媒体（例えば、信号）を備え得る。上記の組合せもまた、コンピュータ読取可能な媒体の範囲内に含まれるべきである。
【０１２３】
[0131]ゆえに、特定の態様は、本明細書で提示された動作を実行するためのコンピュータプログラム製品を備え得る。例えば、そのようなコンピュータプログラム製品は、命令が記憶（および／または符号化）されているコンピュータ読取可能な媒体を備え得、これら命令は、本明細書で説明された動作を実行するために１つまたは複数のプロセッサによって実行可能である。例えば、命令は、本明細書で説明され、図５〜１０に例示された動作を実行するための命令を含み得る。
【０１２４】
[0132]さらに、モジュールおよび／または本明細書で説明された方法および技法を実行するための他の適切な手段が、適宜、ユーザ端末および／または基地局によって、ダウンロードされ得ることおよび／またはそれ以外の方法で取得され得ることは認識されるべきである。例えば、そのようなデバイスは、本明細書で説明された方法を実行するための手段の移送を容易にするためにサーバに結合され得る。代替的に、本明細書で説明された様々な方法は、ユーザ端末および／または基地局が、デバイスへの記憶手段の結合または提供により様々な方法を取得することができるように、記憶手段（例えば、ＲＡＭ、ＲＯＭ、コンパクトディスク（ＣＤ）またはフロッピーディスクのような物理的な記憶媒体など）を介して提供され得る。さらに、本明細書で説明された方法および技法をデバイスに提供するための任意の他の適切な技法が利用され得る。
【０１２５】
[0133]特許請求の範囲が上に例示されたとおりの構成およびコンポーネントに限定されないことは理解されるべきである。特許請求の範囲から逸脱することなく、様々な修正、変更、および変形が、上で説明した方法および装置の配列、動作、および詳細に対してなされ得る。
【図１】
2021520723.tif 000003
【図２】
2021520723.tif 000004
【図３】
2021520723.tif 000005
【図４】
2021520723.tif 000006
【図５】
2021520723.tif 000007
【図６】
2021520723.tif 000008
【図７】
2021520723.tif 000009
【図８】
2021520723.tif 000010
【図９】
2021520723.tif 000011
【図１０】
2021520723.tif 000012
【図１１】
2021520723.tif 000013
【国際調査報告】
2021520723.tif 000014
2021520723.tif 000015
2021520723.tif 000016